(57)【要約】【課題】複数の処理ブロックからなる所定の共通コマンドに対応した処理系を容易に構成する。【解決手段】コントローラ１０４はユーザの操作に対応した共通コマンドＣＣＭＤを発生する。分配器１０５は、この共通コマンドＣＣＭＤを基板１０１-1〜１０１-Nおよびスイッチャ１０３に送る。カウンタ１０３ｂは、共通コマンドの発生タイミングでカウントを開始し、一定時間毎にカウント値をインクリメントする。各基板の記憶媒体１０２-1〜１０２-Nには、それぞれ、共通コマンドのそれぞれに対応した処理内容および優先度番号が記憶されている。スイッチャ１０３は、所定の共通コマンドが発生されるとき、基板１０１-1〜１０１-Nの夫々を、所定の共通コマンドに対応した優先度番号がカウント値に一致した順に接続していき、処理系を構成する。また、基板１０１-1〜１０１-Nの夫々は、所定の共通コマンドに対応した処理内容を実行する。【選択図】        図１
2006019965.tif 000002
【特許請求の範囲】
【請求項１】
それぞれ、コントローラが発生する共通コマンドのそれぞれに対応した処理内容および優先度情報を記憶した記憶媒体を有する、情報信号を処理する複数の処理ブロックと、
上記複数の処理ブロックのそれぞれを、上記コントローラが発生する共通コマンドに対応した上記優先度情報に基づいて順に接続するスイッチャと
を備えることを特徴とする情報信号処理装置。
【請求項２】
上記記憶媒体に記憶した優先度情報は優先度を表す優先度番号であり、
上記コントローラが上記共通コマンドを発生したときカウントを開始し、一定時間毎にカウント値をインクリメントしていくカウンタをさらに備え、
上記スイッチャは、複数の処理ブロックのそれぞれを、上記コントローラが発生する共通コマンドに対応した上記優先度番号が上記カウンタのカウント値に一致した順に接続する
ことを特徴とする請求項１に記載の情報信号処理装置。
【請求項３】
上記処理ブロックは、
情報信号を処理する情報信号処理手段と、
コントローラが発生する共通コマンドのそれぞれに対応した処理内容および優先度番号を記憶した記憶媒体と、
上記コントローラが発生する共通コマンドを受信するコマンド受信手段と、
上記コマンド受信手段で受信された共通コマンドに対応して上記記憶媒体に記憶されている処理内容に基づいて上記情報信号処理手段の動作を制御する処理制御手段と、
上記カウンタのカウント値を受信するカウント値受信手段と、
上記カウント値受信手段で受信されたカウント値が、上記コマンド受信手段で受信された共通コマンドに対応して上記記憶手段に記憶されている優先度番号と一致するとき、上記スイッチャに接続要求を送信する接続要求送信手段とを有する
ことを特徴とする請求項２に記載の情報信号処理装置。
【請求項４】
上記処理ブロックは、出力する情報信号のフォーマットまたは入力された情報信号のフォーマットを変換するフォーマット変換手段をさらに有する
ことを特徴とする請求項３に記載の情報信号処理装置。
【請求項５】
上記処理ブロックは、入力フォーマットを決定する入力フォーマット決定手段をさらに有し、
上記入力フォーマット決定手段は、前段の出力フォーマットを入力フォーマットに決定する
ことを特徴とする請求項３に記載の情報信号処理装置。
【請求項６】
上記処理ブロックは、
出力フォーマットを決定する出力フォーマット決定手段と、
上記出力フォーマット決定手段で決定された出力フォーマットの情報を後段の処理ブロックに送信するフォーマット情報送信手段とをさらに有し、
上記出力フォーマット決定手段は、
後段の入力フォーマットリストに含まれるフォーマットに、自らの出力フォーマットリストに含まれるフォーマットと一致するフォーマットが存在するときは、上記一致するフォーマットのうち最高質のフォーマットを上記出力フォーマットに決定し、
上記後段の入力フォーマットリストに含まれるフォーマットに、自らの出力フォーマットリストに含まれるフォーマットと一致するフォーマットが存在しないときは、上記後段の入力フォーマットリストに含まれるフォーマットのうち、自らの入力フォーマットに近い質のフォーマットを出力フォーマットに決定する
ことを特徴とする請求項３に記載の情報信号処理装置。
【請求項７】
上記処理ブロックは、入力フォーマットを決定する入力フォーマット決定手段をさらに有し、
上記入力フォーマット決定手段は、
前段の出力フォーマットが自らの入力フォーマットリストに存在するとき、上記前段の出力フォーマットを入力フォーマットに決定し、
上記処理制御手段は、
上記前段の出力フォーマットが自らの入力フォーマットリストに存在しないとき、入力信号線と出力信号線とが接続されるように上記情報信号処理手段を制御する
ことを特徴とする請求項３に記載の情報信号処理装置。
【請求項８】
上記処理ブロックは、
出力フォーマットを決定する出力フォーマット決定手段と、
上記出力フォーマット決定手段で決定された出力フォーマットの情報を後段の処理ブロックに送信するフォーマット情報送信手段とをさらに有し、
上記出力フォーマット決定手段は、
後段の入力フォーマットリストに含まれるフォーマットに、自らの出力フォーマットリストに含まれるフォーマットと一致するフォーマットが存在するときは、上記一致するフォーマットのうち最高質のフォーマットを出力フォーマットに決定し、
上記フォーマット情報送信手段は、
上記後段の入力フォーマットリストに含まれるフォーマットに、自らの出力フォーマットリストに含まれるフォーマットと一致するフォーマットが存在しないときは、後段の処理ブロックに、自らの出力フォーマットリストに含まれるフォーマットのうちのいずれかの情報を出力フォーマットの情報として送信する
ことを特徴とする請求項３に記載の情報信号処理装置。
【請求項９】
上記スイッチャは、
複数の処理ブロックを順に接続するためのスイッチャ本体と、
上記複数の処理ブロックのそれぞれからの接続要求を受信する接続要求受信手段と、
上記接続要求受信手段で受信された接続要求に基づいて、該接続要求を送信した処理ブロックを接続するように上記スイッチャ本体を制御するスイッチャ制御手段とを有する
ことを特徴とする請求項１に記載の情報信号処理装置。
【請求項１０】
情報信号を処理する情報信号処理手段と、
コントローラが発生する共通コマンドのそれぞれに対応した処理内容および優先度番号を記憶した記憶媒体と、
上記コントローラが発生する共通コマンドを受信するコマンド受信手段と、
上記コマンド受信手段で受信された共通コマンドに対応して上記記憶媒体に記憶されている処理内容に基づいて上記情報信号処理手段の動作を制御する処理制御手段と、
上記共通コマンドの発生タイミングから一定時間毎にインクリメントされるカウント値を受信するカウント値受信手段と、
上記カウント値受信手段で受信されたカウント値が、上記コマンド受信手段で受信された共通コマンドに対応して上記記憶手段に記憶されている優先度番号と一致するとき、スイッチャに接続要求を送信する接続要求送信手段と
を備えることを特徴とする処理ブロック。
【請求項１１】
複数の処理ブロックを順に接続するためのスイッチャ本体と、
上記処理ブロックからの接続要求を受信する接続要求受信手段と、
上記接続要求受信手段で受信された所定の処理ブロックの接続要求に基づいて、該所定の処理ブロックを接続するように上記スイッチャ本体を制御するスイッチャ制御手段と
を備えることを特徴とするスイッチャ。
【請求項１２】
コントローラが発生する共通コマンドを受信するコマンド受信手段と、
上記コマンド受信手段で上記共通コマンドが受信されたタイミングから一定時間毎にカウント値をインクリメントしていくカウンタと、
上記カウンタのカウント値を上記複数の処理ブロックに送信するカウント値送信手段とをさらに備える
ことを特徴とする請求項１１に記載のスイッチャ。
【請求項１３】
コントローラが発生する共通コマンドに基づいて、複数の処理ブロックがスイッチャにより所定の順に接続されて動作する情報信号処理装置における所定の処理ブロックの状態を設定する状態設定方法であって、
上記共通コマンドを受信するコマンド受信工程と、
上記共通コマンドの発生タイミングから一定時間毎にインクリメントされるカウント値を受信するカウント値受信工程と、
上記コマンド受信工程で受信された共通コマンドに対応した、上記所定の処理ブロックの優先度番号を取得する優先度番号取得工程と、
上記カウント値受信工程で受信されたカウント値が上記優先度番号取得工程で取得された優先度番号と一致するとき、上記スイッチャに上記所定の処理ブロックの接続要求を送信する接続要求送信工程と、
上記コマンド受信工程で受信された共通コマンドに対応した、上記所定の処理ブロックの処理内容を取得する処理内容取得工程と、
上記処理内容取得工程で取得された処理内容に基づいて、上記所定の処理ブロックの動作を制御する動作制御工程と
を備えることを特徴とする処理ブロックの状態設定方法。
【請求項１４】
コントローラが発生する共通コマンドに基づいて、複数の処理ブロックがスイッチャにより所定の順に接続されて動作する情報信号処理装置における所定の処理ブロックの状態を設定するために、
上記共通コマンドを受信するコマンド受信工程と、
上記共通コマンドの発生タイミングから一定時間毎にインクリメントされるカウント値を受信するカウント値受信工程と、
上記コマンド受信工程で受信された共通コマンドに対応した、上記所定の処理ブロックの優先度番号を取得する優先度番号取得工程と、
上記カウント値受信工程で受信されたカウント値が上記優先度番号取得工程で取得された優先度番号と一致するとき、上記スイッチャに上記所定の処理ブロックの接続要求を送信する接続要求送信工程と、
上記コマンド受信工程で受信された共通コマンドに対応した、上記所定の処理ブロックの処理内容を取得する処理内容取得工程と、
上記処理内容取得工程で取得された処理内容に基づいて、上記所定の処理ブロックの動作を制御する動作制御工程と
を備える処理ブロックの状態設定方法をコンピュータに実行させるためのプログラムを記録したコンピュータ読み取り可能な媒体。
【請求項１５】
コントローラが発生する共通コマンドに基づいて、複数の処理ブロックがスイッチャにより所定の順に接続されて動作する情報信号処理装置における所定の処理ブロックの状態を設定するために、
上記共通コマンドを受信するコマンド受信工程と、
上記共通コマンドの発生タイミングから一定時間毎にインクリメントされるカウント値を受信するカウント値受信手段と、
上記コマンド受信工程で受信された共通コマンドに対応した、上記所定の処理ブロックの優先度番号を取得する優先度番号取得工程と、
上記カウント値受信工程で受信されたカウント値が上記優先度番号取得工程で取得された優先度番号と一致するとき、上記スイッチャに上記所定の処理ブロックの接続要求を送信する接続要求送信工程と、
上記コマンド受信工程で受信された共通コマンドに対応した、上記所定の処理ブロックの処理内容を取得する処理内容取得工程と、
上記処理内容取得工程で取得された処理内容に基づいて、上記所定の処理ブロックの動作を制御する動作制御工程と
を備える処理ブロックの状態設定方法をコンピュータに実行させるためのプログラム。
【請求項１６】
コントローラが発生する共通コマンドに基づいて、複数の処理ブロックがスイッチャにより所定の順に接続されて動作する情報信号処理装置におけるスイッチャの状態を設定する状態設定方法であって、
上記処理ブロックからの接続要求を受信する接続要求受信工程と、
上記接続要求受信工程で受信された所定の処理ブロックの接続要求に基づいて、該所定の処理ブロックを接続するようにスイッチャを制御するスイッチャ制御工程と
を備えることを特徴とするスイッチャの状態設定方法。
【請求項１７】
コントローラが発生する共通コマンドに基づいて、複数の処理ブロックがスイッチャにより所定の順に接続されて動作する情報信号処理装置におけるスイッチャの状態を設定するために、
上記処理ブロックからの接続要求を受信する接続要求受信工程と、
上記接続要求受信工程で受信された所定の処理ブロックの接続要求に基づいて、該所定の処理ブロックを接続するようにスイッチャを制御するスイッチャ制御工程と
を備えるスイッチャの状態設定方法をコンピュータに実行させるためのプログラムを記録したコンピュータ読み取り可能な媒体。
【請求項１８】
コントローラが発生する共通コマンドに基づいて、複数の処理ブロックがスイッチャにより所定の順に接続されて動作する情報信号処理装置におけるスイッチャの状態を設定するために、
上記処理ブロックからの接続要求を受信する接続要求受信工程と、
上記接続要求受信工程で受信された所定の処理ブロックの接続要求に基づいて、該所定の処理ブロックを接続するようにスイッチャを制御するスイッチャ制御工程と
を備えるスイッチャの状態設定方法をコンピュータに実行させるためのプログラム。
【請求項１９】
それぞれ、コントローラが発生する共通コマンドのそれぞれに対応した処理内容および優先度情報を記憶した記憶媒体を有すると共に、他の任意の処理ブロックと接続するためのスイッチャを有する、情報信号を処理する複数の処理ブロックと、
上記複数の処理ブロックのスイッチャの信号線を互いに接続するスイッチャ接続手段とを備え、
上記複数の処理ブロックのスイッチャは、該複数の処理ブロックのそれぞれを、上記コントローラが発生する共通コマンドに対応した上記優先度情報に基づいて順に接続する
ことを特徴とする情報信号処理装置。
【請求項２０】
上記記憶媒体に記憶した優先度情報は優先度を表す優先度番号であり、
上記コントローラが上記共通コマンドを発生したときカウントを開始し、その後に順次カウント値をインクリメントしていくカウンタをさらに備え、
上記複数の処理ブロックのスイッチャは、複数の処理ブロックのそれぞれを、上記コントローラが発生する共通コマンドに対応した上記優先度番号が上記カウンタのカウント値に一致した順に接続する
ことを特徴とする請求項１９に記載の情報信号処理装置。
【請求項２１】
上記処理ブロックは、
情報信号を処理する情報信号処理手段と、
コントローラが発生する共通コマンドのそれぞれに対応した処理内容および優先度番号を記憶した記憶媒体と、
上記コントローラが発生する共通コマンドを受信するコマンド受信手段と、
上記コマンド受信手段で受信された共通コマンドに対応して上記記憶媒体に記憶されている処理内容に基づいて、上記情報信号処理手段の動作を制御する処理制御手段と、
上記情報信号処理手段を他の処理ブロックの情報信号処理手段に接続するためのスイッチャと、
上記カウンタのカウント値を受信するカウント値受信手段と、
上記カウント値受信手段で受信されたカウント値が、上記コマンド受信手段で受信された共通コマンドに対応して上記記憶媒体に記憶されている優先度番号と一致するとき、上記情報信号処理手段が他の処理ブロックからの情報信号を入力するための入力信号線を持つ場合には、該入力信号線を接続要求が発行されている所定番目の信号線に接続するように上記スイッチャを制御し、上記情報信号処理手段が他の処理ブロックへの情報信号を出力するための出力信号線を持つ場合には、該出力信号線を１番目または上記所定番目の次の信号線に接続するように上記スイッチャを制御すると共に、該出力信号線が接続される信号線に接続要求を発行するスイッチャ制御手段とを有する
ことを特徴とする請求項２０に記載の情報信号処理装置。
【請求項２２】
上記処理ブロックは、出力する情報信号のフォーマットまたは入力された情報信号のフォーマットを変換するフォーマット変換手段をさらに有する
ことを特徴とする請求項２１に記載の情報信号処理装置。
【請求項２３】
上記処理ブロックは、入力フォーマットを決定する入力フォーマット決定手段をさらに有し、
上記入力フォーマット決定手段は、上記入力フォーマットを前段の出力フォーマットに合わせる
ことを特徴とする請求項２１に記載の情報信号処理装置。
【請求項２４】
上記処理ブロックは、
出力フォーマットを決定する出力フォーマット決定手段と、
上記出力フォーマット決定手段で決定された出力フォーマットの情報を後段の処理ブロックに送信するフォーマット情報送信手段とをさらに有し、
上記出力フォーマット決定手段は、
後段の入力フォーマットリストに含まれるフォーマットに、自らの出力フォーマットリストに含まれるフォーマットと一致するフォーマットが存在するときは、上記一致するフォーマットのうち最高質のフォーマットを出力フォーマットに決定し、
上記後段の入力フォーマットリストに含まれるフォーマットに、自らの出力フォーマットリストに含まれるフォーマットと一致するフォーマットが存在しないときは、上記後段の入力フォーマットリストに含まれるフォーマットのうち、自らの入力フォーマットに近い質のフォーマットを出力フォーマットに決定する
ことを特徴とする請求項２１に記載の情報信号処理装置。
【請求項２５】
上記処理ブロックは、入力フォーマットを決定する入力フォーマット決定手段をさらに有し、
上記入力フォーマット決定手段は、
前段の出力フォーマットが上記情報信号処理手段の入力フォーマットリストに存在するとき、上記前段の出力フォーマットを入力フォーマットに決定し、
上記処理制御手段は、
上記前段の出力フォーマットが上記情報信号処理手段の入力フォーマットリストに存在しないとき、入力信号線と出力信号線とが接続されるように上記情報信号処理手段を制御する
ことを特徴とする請求項２１に記載の情報信号処理装置。
【請求項２６】
上記処理ブロックは、
出力フォーマットを決定する出力フォーマット決定手段と、
上記出力フォーマット決定手段で決定された出力フォーマットの情報を後段の処理ブロックに送信するフォーマット情報送信手段とをさらに有し、
上記出力フォーマット決定手段は、
後段の入力フォーマットリストに含まれるフォーマットに、自らの出力フォーマットリストに含まれるフォーマットと一致するフォーマットが存在するときは、上記一致するフォーマットのうち最高質のフォーマットを出力フォーマットに決定し、
上記フォーマット情報送信手段は、
上記後段の入力フォーマットリストに含まれるフォーマットに、自らの出力フォーマットリストに含まれるフォーマットと一致するフォーマットが存在しないときは、後段の処理ブロックに、自らの出力フォーマットリストに含まれるフォーマットのうちのいずれかの情報を出力フォーマットの情報として送信する
ことを特徴とする請求項２１に記載の情報信号処理装置。
【請求項２７】
情報信号を処理する情報信号処理手段と、
コントローラが発生する共通コマンドのそれぞれに対応した処理内容および優先度信号を記憶した記憶媒体と、
上記コントローラが発生する共通コマンドを受信するコマンド受信手段と、
上記コマンド受信手段で受信された共通コマンドに対応して上記記憶媒体に記憶されている処理内容に基づいて上記情報信号処理手段の動作を制御する処理制御手段と、
上記情報信号処理手段を他の処理ブロックの情報信号処理手段に接続するためのスイッチャと、
上記共通コマンドの発生タイミングから一定時間毎にインクリメントされるカウント値を受信するカウント値受信手段と、
上記カウント値受信手段で受信されたカウント値が、上記コマンド受信手段で受信された共通コマンドに対応して上記記憶媒体に記憶されている優先度番号と一致するとき、上記情報信号処理手段が他の処理ブロックからの情報信号を入力するための入力信号線を持つ場合には、該入力信号線を接続要求が発行されている所定番目の信号線に接続するように上記スイッチャを制御し、上記情報信号処理手段が他の処理ブロックへの情報信号を出力するための出力信号線を持つ場合には、該出力信号線を１番目または上記所定番目の次の信号線に接続するように上記スイッチャを制御すると共に、該出力信号線が接続される信号線に接続要求を発行するスイッチャ制御手段と
を備えることを特徴とする処理ブロック。
【請求項２８】
コントローラが発生する共通コマンドに基づいて、それぞれスイッチャを有する複数の処理ブロックが該スイッチャにより所定の順に接続されて動作する情報信号処理装置における所定の処理ブロックの状態を設定する状態設定方法であって、
上記共通コマンドを受信するコマンド受信工程と、
上記共通コマンドの発生タイミングから一定時間毎にインクリメントされるカウント値を受信するカウント値受信工程と、
上記コマンド受信工程で受信された共通コマンドに対応した、上記所定の処理ブロックの優先度番号を取得する優先度番号取得工程と、
上記カウント値受信工程で受信されたカウント値が、上記優先度番号取得工程で取得された優先度番号と一致するとき、上記所定の処理ブロックが他の処理ブロックからの情報信号を入力するための入力信号線を持つ場合、該入力信号線を接続要求が発行されている所定番目の信号線に接続するように上記スイッチャを制御し、上記所定の処理ブロックが他の処理ブロックへの情報信号を出力するための出力信号線を持つ場合には、該出力信号線を１番目または上記所定番目の次の信号線に接続するように上記スイッチャを制御すると共に、該出力信号線が接続される信号線に接続要求を発行するスイッチャ制御工程と、
上記コマンド受信工程で受信された共通コマンドに対応した、上記所定の処理ブロックの処理内容を取得する処理内容取得工程と、
上記処理内容取得工程で取得された処理内容に基づいて、上記所定の処理ブロックの動作を制御する動作制御工程と
を備えることを特徴とする処理ブロックの状態設定方法。
【請求項２９】
コントローラが発生する共通コマンドに基づいて、それぞれスイッチャを有する複数の処理ブロックが該スイッチャにより所定の順に接続されて動作する情報信号処理装置における所定の処理ブロックの状態を設定するために、
上記共通コマンドを受信するコマンド受信工程と、
上記共通コマンドの発生タイミングから一定時間毎にインクリメントされるカウント値を受信するカウント値受信工程と、
上記コマンド受信工程で受信された共通コマンドに対応した、上記所定の処理ブロックの優先度番号を取得する優先度番号取得工程と、
上記カウント値受信工程で受信されたカウント値が、上記優先度番号取得工程で取得された優先度番号と一致するとき、上記所定の処理ブロックが他の処理ブロックからの情報信号を入力するための入力信号線を持つ場合、該入力信号線を接続要求が発行されている所定番目の信号線に接続するように上記スイッチャを制御し、上記所定の処理ブロックが他の処理ブロックへの情報信号を出力するための出力信号線を持つ場合には、該出力信号線を１番目または上記所定番目の次の信号線に接続するように上記スイッチャを制御すると共に、該出力信号線が接続される信号線に接続要求を発行するスイッチャ制御工程と、
上記コマンド受信工程で受信された共通コマンドに対応した、上記所定の処理ブロックの処理内容を取得する処理内容取得工程と、
上記処理内容取得工程で取得された処理内容に基づいて、上記所定の処理ブロックの動作を制御する動作制御工程と
を備える処理ブロックの状態設定方法をコンピュータに実行させるためのプログラムを記録したコンピュータ読み取り可能な媒体。
【請求項３０】
コントローラが発生する共通コマンドに基づいて、それぞれスイッチャを有する複数の処理ブロックが該スイッチャにより所定の順に接続されて動作する情報信号処理装置における所定の処理ブロックの状態を設定するために、
上記共通コマンドを受信するコマンド受信工程と、
上記共通コマンドの発生タイミングから一定時間毎にインクリメントされるカウント値を受信するカウント値受信工程と、
上記コマンド受信工程で受信された共通コマンドに対応した、上記所定の処理ブロックの優先度番号を取得する優先度番号取得工程と、
上記カウント値受信工程で受信されたカウント値が、上記優先度番号取得工程で取得された優先度番号と一致するとき、上記所定の処理ブロックが他の処理ブロックからの情報信号を入力するための入力信号線を持つ場合、該入力信号線を接続要求が発行されている所定番目の信号線に接続するように上記スイッチャを制御し、上記所定の処理ブロックが他の処理ブロックへの情報信号を出力するための出力信号線を持つ場合には、該出力信号線を１番目または上記所定番目の次の信号線に接続するように上記スイッチャを制御すると共に、該出力信号線が接続される信号線に接続要求を発行するスイッチャ制御工程と、
上記コマンド受信工程で受信された共通コマンドに対応した、上記所定の処理ブロックの処理内容を取得する処理内容取得工程と、
上記処理内容取得工程で取得された処理内容に基づいて、上記所定の処理ブロックの動作を制御する動作制御工程と
を備える処理ブロックの状態設定方法をコンピュータに実行させるためのプログラム。
【発明の詳細な説明】
【技術分野】
【０００１】
この発明は、情報信号処理装置、それを構成する処理ブロック、スイッチャ、その状態設定方法、並びにプログラムおよびそれを記録した媒体に関する。詳しくは、この発明は、複数の処理ブロックのそれぞれにコントローラが発生する各共通コマンドに対応した優先度情報を持たせ、コントローラからの所定の共通コマンドの発生に伴って、複数の処理ブロックを当該所定の共通コマンドに対応した優先度情報に基づいてスイッチャで順に接続する構成とすることによって、所定の共通コマンドに対応した処理系を容易に構成でき、当該所定の共通コマンドに対応した処理をユーザを煩わせることなく良好に行い得る情報信号処理装置等に係るものである。
【背景技術】
【０００２】
従来、画像信号にノイズ除去、高画質化等の一連の処理を行って出力する画像信号処理装置において、これら一連の処理を複数の処理ブロック（例えば基板、チップ、装置等）を用いて実現することが考えられている。この場合、各処理ブロックに共通コマンド（放送型コマンドと呼ぶこともある）を送り、各処理ブロックをその共通コマンドに応じて適応的に動作させ、画像信号処理装置の全体で所定の処理が行われるように制御することが考えられる。ここで、共通コマンドとは、複数の処理ブロックに共通に与えられるコマンドを意味している。この共通コマンドの内容によっては、処理順序の変更、例えば特定の処理をスキップする等が必要となり、処理ブロックの配線を変更することが必要となる。
【０００３】
特許文献１に記載される画像信号処理システムでは、基板間のデータ通信を無線にすることで、基板間を流れる信号の制約を取り払い、基板間の配線変更などの煩わしさを回避している。
【０００４】
【特許文献１】特開２００３−１７９８２１号公報
【発明の開示】
【発明が解決しようとする課題】
【０００５】
上述した特許文献１では、公報第２３〜２４頁の「０２２３」〜「０２２６」の段落に記載されるように、コントローラは、装着された複数の処理基板を認識し、内蔵メモリに記憶されたテーブルに基づいて、画像信号の処理順序を設定する。したがって、この特許文献１に記載される画像信号処理システムでは、各処理基板の他にコントローラを必要とすることから回路規模が大きくなり、しかも画像信号の処理順序を設定する際にコントローラとそれぞれの処理基板との間で通信を行う必要があり、複雑な通信制御が必要となる等の問題点がある。
【０００６】
この発明の目的は、所定の共通コマンドに対応した処理系を容易に構成でき、当該所定の共通コマンドに対応した処理をユーザを煩わせることなく良好に行い得る情報信号処理装置等を提供することにある。
【課題を解決するための手段】
【０００７】
この発明に係る情報信号処理装置は、それぞれ、コントローラが発生する共通コマンドのそれぞれに対応した処理内容および優先度情報を記憶した記憶媒体を有する、情報信号を処理する複数の処理ブロックと、この複数の処理ブロックのそれぞれを、コントローラが発生する共通コマンドに対応した優先度情報に基づいて順に接続するスイッチャとを備えるものである。
【０００８】
また、この発明に係る処理ブロックは、情報信号を処理する情報信号処理手段と、コントローラが発生する共通コマンドのそれぞれに対応した処理内容および優先度番号を記憶した記憶媒体と、コントローラが発生する共通コマンドを受信するコマンド受信手段と、このコマンド受信手段で受信された共通コマンドに対応して記憶媒体に記憶されている処理内容に基づいて情報信号処理手段の動作を制御する処理制御手段と、共通コマンドの発生タイミングから一定時間毎にインクリメントされるカウント値を受信するカウント値受信手段と、このカウント値受信手段で受信されたカウント値が、コマンド受信手段で受信された共通コマンドに対応して記憶手段に記憶されている優先度番号と一致するとき、スイッチャに接続要求を送信する接続要求送信手段とを備えるものである。
【０００９】
また、この発明に係るスイッチャは、複数の処理ブロックを順に接続するためのスイッチャ本体と、処理ブロックからの接続要求を受信する接続要求受信手段と、この接続要求受信手段で受信された所定の処理ブロックの接続要求に基づいて、この所定の処理ブロックを接続するようにスイッチャ本体を制御するスイッチャ制御手段とを備えるものである。なお、このスイッチャは、さらに、コントローラが発生する共通コマンドを受信するコマンド受信手段と、この共通コマンド受信手段で共通コマンドが受信されたタイミングから一定時間毎にカウント値をインクリメントしていくカウンタと、このカウンタのカウント値を複数の処理ブロックに送信するカウント値送信手段とを備えていてもよい。
【００１０】
また、この発明に係る処理ブロックの状態設定方法は、コントローラが発生する共通コマンドに基づいて、複数の処理ブロックがスイッチャにより所定の順に接続されて動作する情報信号処理装置における所定の処理ブロックの状態を設定する状態設定方法であって、共通コマンドを受信するコマンド受信工程と、共通コマンドの発生タイミングから一定時間毎にインクリメントされるカウント値を受信するカウント値受信工程と、コマンド受信工程で受信された共通コマンドに対応した、所定の処理ブロックの優先度番号を取得する優先度番号取得工程と、カウント値受信工程で受信されたカウント値がこの優先度番号取得工程で取得された優先度番号と一致するとき、スイッチャに所定の処理ブロックの接続要求を送信する接続要求送信工程と、コマンド受信工程で受信された共通コマンドに対応した、所定の処理ブロックの処理内容を取得する処理内容取得工程と、この処理内容取得工程で取得された処理内容に基づいて、所定の処理ブロックの動作を制御する動作制御工程とを備えるものである。
【００１１】
また、この発明に係るプログラムは上述した処理ブロックの状態設定方法をコンピュータに実行させるためのものであり、この発明に係るコンピュータ読み取り可能な媒体はそのプログラムを記録したものである。
【００１２】
また、この発明に係るスイッチャの状態設定方法は、コントローラが発生する共通コマンドに基づいて、複数の処理ブロックがスイッチャにより所定の順に接続されて動作する情報信号処理装置におけるスイッチャの状態を設定する状態設定方法であって、処理ブロックからの接続要求を受信する接続要求受信工程と、この接続要求受信工程で受信された所定の処理ブロックの接続要求に基づいて、この所定の処理ブロックを接続するようにスイッチャを制御するスイッチャ制御工程とを備えるものである。
【００１３】
また、この発明に係るプログラムは上述したスイッチャの状態設定方法をコンピュータに実行させるためのものであり、この発明に係るコンピュータ読み取り可能な媒体はそのプログラムを記録したものである。
【００１４】
この発明において、複数の処理ブロックは、それぞれ、画像信号、音声信号等の情報信号を処理するものである。処理ブロックは、例えば、基板、チップ、あるいは複数の基板またはチップからなる装置等である。各処理ブロックは、コントローラが発生する共通コマンドのそれぞれに対応した処理内容および優先度情報を記憶した記憶媒体、例えばＲＯＭ(Read Only Memory)を有している。
【００１５】
これら複数の処理ブロックがスイッチャを用いて接続されて処理系が構成される。この場合、複数の処理ブロックのそれぞれは、コントローラが発生する共通コマンドに対応した優先度情報に基づいて順に接続される。
【００１６】
例えば、優先度情報は優先度を表す優先度番号であり、また共通コマンドの発生タイミングからカウント値が一定時間毎にインクリメントされていくカウント値が備えられる。そして、複数の処理ブロックのそれぞれは、優先度番号がカウント値に一致した順に接続される。この場合、コントローラから発生される所定の共通コマンドに対応した優先度番号が記憶媒体に記憶されていない処理ブロックは、処理系に接続されない。当該処理ブロックは、当該所定の共通コマンドに対応した処理には、不要であるからである。
【００１７】
例えば、所定の処理ブロックの状態は、以下のように設定される。すなわち、コントローラが発生する共通コマンドが受信され、また共通コマンドの発生タイミングから一定時間毎にインクリメントされるカウント値が受信され、さらに受信された共通コマンドに対応した優先度番号が取得される。そして、カウント値が優先度番号と一致するとき、スイッチャに接続要求が送信される。また、受信された共通コマンドに対応した処理内容が取得され、この処理内容に基づいて、所定の処理ブロックの動作が制御される。また例えば、スイッチャの状態は、以下のように設定される。すなわち、所定の処理ブロックからの接続要求が受信される。そして、この接続要求に基づいて、当該所定の処理ブロックを接続するようにスイッチャが制御される。
【００１８】
このように、この発明では、複数の処理ブロックのそれぞれにコントローラが発生する各共通コマンドに対応した優先度情報を持たせ、コントローラからの所定の共通コマンドの発生に伴って、複数の処理ブロックを当該所定の共通コマンドに対応した優先度情報に基づいてスイッチャで順に接続するものであり、所定の共通コマンドに対応した処理系を容易に構成でき、当該所定の共通コマンドに対応した処理を良好に行わせることができる。
【００１９】
例えば、処理ブロックは、出力する情報信号のフォーマットまたは入力された情報信号のフォーマットを変換するフォーマット変換手段をさらに有するものであってもよい。この場合、情報信号処理手段の出力フォーマットを後段の情報信号処理手段の入力フォーマットリストに含まれるフォーマットのいずれかに変換でき、あるいは入力された情報信号のフォーマットを、情報信号処理手段の入力フォーマットリストに含まれるフォーマットに変換できる。
【００２０】
また例えば、処理ブロックは、入力フォーマットを決定する入力フォーマット決定手段をさらに有し、この入力フォーマット決定手段は前段の出力フォーマットを入力フォーマットに決定してもよい。この場合、前段の出力フォーマットが自らの入力フォーマットリストに含まれるフォーマットであるときは、前段の処理ブロックで得られた情報信号を、フォーマット変換せずに、そのまま処理することが可能となる。
【００２１】
また例えば、処理ブロックは、出力フォーマットを決定する出力フォーマット決定手段と、この決定された出力フォーマットの情報を後段の処理ブロックに送信するフォーマット情報送信手段とをさらに有していてもよい。この場合、出力フォーマット決定手段では、以下のように出力フォーマットが決定される。
【００２２】
すなわち、後段の入力フォーマットリストに含まれるフォーマットに、自らの出力フォーマットリストに含まれるフォーマットと一致するフォーマットが存在するときは、一致するフォーマットのうち最高質のフォーマットが出力フォーマットに決定される。これにより、後段の処理ブロックでは、入力された情報信号をフォーマット変換せずにそのまま処理することが可能となる。
【００２３】
また、後段の入力フォーマットリストに含まれるフォーマットに、自らの出力フォーマットリストに含まれるフォーマットと一致するフォーマットが存在しないときは、後段の入力フォーマットリストに含まれるフォーマットのうち、自らの入力フォーマットに近い質のフォーマットが出力フォーマットに決定される。これにより、後段の処理ブロックでは入力された情報信号をフォーマット変換せずにそのまま処理することが可能となり、また入力フォーマットに近い質のフォーマットを出力フォーマットに決定するので、フォーマット変換手段による質の低下を軽減できる。
【００２４】
また例えば、処理ブロックは、入力フォーマットを決定する入力フォーマット決定手段をさらに有し、この入力フォーマット決定手段は、前段の出力フォーマットが自らの入力フォーマットリストに存在するとき、前段の出力フォーマットを入力フォーマットに決定するようにしてもよい。この場合、前段の処理ブロックで得られた情報信号を、フォーマット変換せずに、そのまま処理することが可能となる。またこの場合、前段の出力フォーマットが自らの入力フォーマットリストに存在しないとき、情報信号処理手段の入力信号線と出力信号線とが接続される、スルー処理状態とされる。これにより、前段からの情報信号は、何等処理されることなく、そのまま後段に送られる。
【００２５】
また例えば、処理ブロックは、出力フォーマットを決定する出力フォーマット決定手段と、この決定された出力フォーマットの情報を後段の処理ブロックに送信するフォーマット情報送信手段とをさらに有していてもよい。この場合、出力フォーマット決定手段では、以下のように出力フォーマットが決定される。すなわち、後段の入力フォーマットリストに含まれるフォーマットに、自らの出力フォーマットリストに含まれるフォーマットと一致するフォーマットが存在するときは、一致するフォーマットのうち最高質のフォーマットが出力フォーマットに決定される。これにより、後段の処理ブロックでは、入力された情報信号をフォーマット変換せずにそのまま処理することが可能となる。
【００２６】
また、後段の入力フォーマットリストに含まれるフォーマットに、自らの出力フォーマットリストに含まれるフォーマットと一致するフォーマットが存在しないときは、後段の処理ブロックに、自らの出力フォーマットリストに含まれるフォーマットのうちのいずれかの情報が出力フォーマットの情報として送信される。これにより、後段の処理ブロックは上述したスルー処理状態となり、当該後段の処理ブロックの次段の処理ブロックが実質的な後段の処理ブロックとなり、その入力フォーマットリストに基づいて再度出力フォーマットを決定し得る状態となる。
【００２７】
この発明に係る情報信号処理装置は、それぞれ、コントローラが発生する共通コマンドのそれぞれに対応した処理内容および優先度情報を記憶した記憶媒体を有すると共に、他の任意の処理ブロックと接続するためのスイッチャを有する、情報信号を処理する複数の処理ブロックと、この複数の処理ブロックのスイッチャの信号線を互いに接続するスイッチャ接続手段とを備え、複数の処理ブロックのスイッチャは、この複数の処理ブロックのそれぞれを、コントローラが発生する共通コマンドに対応した優先度情報に基づいて順に接続するものである。
【００２８】
また、この発明に係る処理ブロックは、情報信号を処理する情報信号処理手段と、コントローラが発生する共通コマンドのそれぞれに対応した処理内容および優先度信号を記憶した記憶媒体と、コントローラが発生する共通コマンドを受信するコマンド受信手段と、このコマンド受信手段で受信された共通コマンドに対応して記憶媒体に記憶されている処理内容に基づいて情報信号処理手段の動作を制御する処理制御手段と、情報信号処理手段を他の処理ブロックの情報信号処理手段に接続するためのスイッチャと、共通コマンドの発生タイミングから一定時間毎にインクリメントされるカウント値を受信するカウント値受信手段と、このカウント値受信手段で受信されたカウント値が、コマンド受信手段で受信された共通コマンドに対応して記憶媒体に記憶されている優先度番号と一致するとき、情報信号処理手段が他の処理ブロックからの情報信号を入力するための入力信号線を持つ場合には、この入力信号線を接続要求が発行されている所定番目の信号線に接続するようにスイッチャを制御し、情報信号処理手段が他の処理ブロックへの情報信号を出力するための出力信号線を持つ場合には、この出力信号線を１番目または上記所定番目の次の信号線に接続するようにスイッチャを制御すると共に、この出力信号線が接続される信号線に接続要求を発行するスイッチャ制御手段とを備えるものである。
【００２９】
また、この発明に係る処理ブロックの状態設定方法は、コントローラが発生する共通コマンドに基づいて、それぞれスイッチャを有する複数の処理ブロックがこのスイッチャにより所定の順に接続されて動作する情報信号処理装置における所定の処理ブロックの状態を設定する状態設定方法であって、共通コマンドを受信するコマンド受信工程と、共通コマンドの発生タイミングから一定時間毎にインクリメントされるカウント値を受信するカウント値受信工程と、コマンド受信工程で受信された共通コマンドに対応した、所定の処理ブロックの優先度番号を取得する優先度番号取得工程と、カウント値受信工程で受信されたカウント値が、優先度番号取得工程で取得された優先度番号と一致するとき、所定の処理ブロックが他の処理ブロックからの情報信号を入力するための入力信号線を持つ場合、この入力信号線を接続要求が発行されている所定番目の信号線に接続するようにスイッチャを制御し、所定の処理ブロックが他の処理ブロックへの情報信号を出力するための出力信号線を持つ場合には、この出力信号線を１番目または上記所定番目の次の信号線に接続するようにスイッチャを制御すると共に、この出力信号線が接続される信号線に接続要求を発行するスイッチャ制御工程と、コマンド受信工程で受信された共通コマンドに対応した、所定の処理ブロックの処理内容を取得する処理内容取得工程と、この処理内容取得工程で取得された処理内容に基づいて、上記所定の処理ブロックの動作を制御する動作制御工程とを備えるものである。
【００３０】
また、この発明に係るプログラムは上述した処理ブロックの状態設定方法をコンピュータに実行させるためのものであり、この発明に係るコンピュータ読み取り可能な媒体はそのプログラムを記録したものである。
【００３１】
この発明において、複数の処理ブロックは、それぞれ、画像信号、音声信号等の情報信号を処理するものである。処理ブロックは、例えば、基板、チップ、あるいは複数の基板またはチップからなる装置等である。各処理ブロックは、コントローラが発生する共通コマンドのそれぞれに対応した処理内容および優先度情報を記憶した記憶媒体、例えばＲＯＭを有している。
【００３２】
また、各処理ブロックは、他の任意の処理ブロックと接続するためのスイッチャを有している。この各処理ブロックのスイッチャの信号線はスイッチャ接続手段、例えばハブにより、互いに接続される。
【００３３】
これら複数の処理ブロックがスイッチャを用いて接続されて処理系が構成される。この場合、複数の処理ブロックのそれぞれは、コントローラが発生する共通コマンドに対応した優先度情報に基づいて順に接続される。
【００３４】
例えば、優先度情報は優先度を表す優先度番号であり、また共通コマンドの発生タイミングからカウント値が一定時間毎にインクリメントされていくカウント値が備えられる。そして、複数の処理ブロックのそれぞれは、優先度番号がカウント値に一致した順に接続される。この場合、コントローラから発生される所定の共通コマンドに対応した優先度番号が記憶媒体に記憶されていない処理ブロックは、処理系に接続されることはなく、従って当該処理ブロックは当該所定の共通コマンドに対応した処理では使用されないこととなる。
【００３５】
例えば、所定の処理ブロックの状態は、以下のように設定される。すなわち、コントローラが発生する共通コマンドが受信され、また共通コマンドの発生タイミングから一定時間毎にインクリメントされるカウント値が受信され、さらに受信された共通コマンドに対応した優先度番号が取得される。
【００３６】
そして、カウント値が優先度番号と一致するとき、所定の処理ブロックが他の処理ブロックからの情報信号を入力するための入力信号線を持つ場合、この入力信号線が接続要求が発行されている所定番目の信号線に接続される。また、カウント値が優先度番号と一致するとき、所定の処理ブロックが他の処理ブロックへの情報信号を出力するための出力信号線を持つ場合には、この出力信号線が１番目または上述した所定番目の次の信号線に接続されると共に、この出力信号線が接続される信号線に接続要求が発行される。ここで、所定の処理ブロックが他の処理ブロックからの情報信号を入力するための入力信号線を持っていない場合には、出力信号線は１番目の信号線に接続される。
【００３７】
また、受信された共通コマンドに対応した処理内容が取得され、この処理内容に基づいて、所定の処理ブロックの動作が制御される。
【００３８】
このように、この発明では、複数の処理ブロックのそれぞれにコントローラが発生する各共通コマンドに対応した優先度情報を持たせ、コントローラからの所定の共通コマンドの発生に伴って、複数の処理ブロックを、当該所定の共通コマンドに対応した優先度情報に基づいて、当該複数の処理ブロックが有するスイッチャで順に接続するものであり、所定の共通コマンドに対応した処理系を容易に構成でき、当該所定の共通コマンドに対応した処理を良好に行わせることができる。
【発明の効果】
【００３９】
この発明によれば、複数の処理ブロックのそれぞれにコントローラが発生する各共通コマンドに対応した優先度情報を持たせ、コントローラからの所定の共通コマンドの発生に伴って、複数の処理ブロックを当該所定の共通コマンドに対応した優先度情報に基づいてスイッチャで順に接続する構成とするものであり、所定の共通コマンドに対応した処理系を容易に構成でき、当該所定の共通コマンドに対応した処理を良好に行わせることができる。
【発明を実施するための最良の形態】
【００４０】
この発明の第１の実施の形態について説明する。図１は、第１の実施の形態としての、スイッチャ集中型の情報信号処理装置１００の構成を示している。
【００４１】
この情報信号処理装置１００は、Ｎ個の基板１０１-1〜１０１-Nを有している。基板１０１-1〜１０１-Nは、それぞれ、情報信号を処理する処理ブロックを構成している。基板１０１-1〜１０１-Nは、それぞれ、後述するコントローラ１０４が発生する共通コマンドＣＣＭＤのそれぞれに対応した処理内容および優先度情報を記憶した記憶媒体１０２-1〜１０２-Nを備えている。
【００４２】
ここでは、優先度情報として、優先度を表す優先度番号が用いられる。この優先度番号は、所定の共通コマンドＣＣＭＤが発生されるとき、その所定の共通コマンドＣＣＭＤに対応した処理を行うために基板１０１-1〜１０１-Nをどのような順に接続していくかを示す情報である。また、処理内容は、所定の共通コマンドＣＣＭＤが発生されるとき、その所定の共通コマンドＣＣＭＤに対して基板１０１-1〜１０１-Nでどのような処理をすべきかを示す情報である。
【００４３】
また、情報信号処理装置１００は、スイッチャ１０３を有している。このスイッチャ１０３は、基板１０１-1〜１０１-Nを、所定の共通コマンドＣＣＭＤが発生されるとき、その所定のコマンドＣＣＭＤに対応した処理を行い得るように順に接続する。このスイッチャ１０３は、スイッチャ本体１０３ａの他に、カウンタ１０３ｂを備えている。このカウンタ１０３ｂは、共通コマンドＣＣＭＤが発生したときカウントを開始し、一定時間毎にカウント値をインクリメントしていく。このカウント値の最後の値は、少なくとも、上述した優先度番号の最大値以上とされる。
【００４４】
このスイッチャ１０３は、所定の共通コマンドＣＣＭＤが発生されるとき、基板１０１-1〜１０１-Nのそれぞれを、スイッチャ本体１０３ａにより、当該基板１０１-1〜１０１-Nの記憶媒体１０２-1〜１０２-Nに記憶されている、当該所定の共通コマンドＣＣＭＤに対応した優先度番号がカウンタ１０３ｂのカウント値に一致した順に接続し、当該所定の共通コマンドＣＣＭＤに対応した処理系を構成する。
【００４５】
なおこの場合、所定の共通コマンドＣＣＭＤに対応した優先度番号が記憶媒体に記憶されていない基板は、処理系に接続されない。このような基板は、当該所定の共通コマンドＣＣＭＤに対応した処理には不要な基板である。
【００４６】
また、情報信号処理装置１００は、ユーザの操作に対応して共通コマンドＣＣＭＤを発生するコントローラ１０４と、この共通コマンドＣＣＭＤを基板１０１-1〜１０１-Nおよびスイッチャ１０３に分配して送信する分配器１０５を有している。コントローラ１０４は、例えばリモートコントローラ（リモコン）であり、共通コマンドＣＣＭＤを赤外線等のリモコン信号として送信する。分配器１０５は、例えばリモコン信号を受信する受信部を備え、この受信部で得られるリモコン信号としての共通コマンドＣＣＭＤを分配する。
【００４７】
図１に示す情報信号処理装置１００の動作を説明する。コントローラ１０４からユーザの操作に対応した共通コマンドＣＣＭＤが発生されると、分配器１０５からこの共通コマンドＣＣＭＤが基板１０１-1〜１０１-Nおよびスイッチャ１０３のそれぞれに送信される。
【００４８】
スイッチャ１０３では、所定の共通コマンドＣＣＭＤが受信されると、カウンタ１０３ｂのカウントが開始され、一定時間毎にカウント値がインクリメントされていく。そして、このスイッチャ１０３では、基板１０１-1〜１０１-Nのそれぞれが、スイッチャ本体１０３ａにより、当該基板１０１-1〜１０１-Nの記憶媒体１０２-1〜１０２-Nに記憶されている、当該所定の共通コマンドＣＣＭＤに対応した優先度番号がカウンタ１０３ｂのカウント値に一致した順に接続され、当該所定の共通コマンドＣＣＭＤに対応した処理系が構成される。
【００４９】
また、基板１０１-1〜１０１-Nでは、それぞれ、所定の共通コマンドＣＣＭＤが受信されると、当該基板１０１-1〜１０１-Nの記憶媒体１０２-1〜１０２-Nに記憶されている、当該所定の共通コマンドＣＣＭＤに対応した処理内容を行うように動作が制御される。
【００５０】
このように、コントローラ１０４から所定の共通コマンドＣＣＭＤが発生されると、基板１０１-1〜１０１-Nおよびスイッチャ１０３で、当該所定の共通コマンドＣＣＭＤに対応した処理系が構成されると共に、この処理系を構成する各基板の動作が当該所定の共通コマンドＣＣＭＤに対応した処理内容を行うように制御され、当該所定の共通コマンドＣＣＭＤに対応した処理がユーザを煩わせることなく良好に行われる。
【００５１】
次に、図１に示す情報信号処理装置１００の具体例を説明する。図２は、その具体例としての、画像信号処理装置１１０を示している。
【００５２】
この画像信号処理装置１１０は、入力基板１２０と、出力基板１３０と、ノイズ除去処理基板１４０と、高画質化処理基板１５０とを有している。これらの基板１２０〜１５０は、それぞれ、情報信号としての画像信号を処理する処理ブロックを構成している。
【００５３】
入力基板１２０は、画像信号を取得する処理を行うための基板である。出力基板１３０は、画像信号を記録し、あるいはモニタに出力する処理を行うための基板である。ノイズ除去処理基板１４０は、ＭＰＥＧ(Moving Picture Experts Group)の符号化、復号化を経たことによって発生したブロック歪み、モスキートノイズ（以下、適宜「ＭＰＥＧ歪み」という）を低減する処理を行うための基板である。高画質化処理基板１５０は、水平、垂直の画素数を増加して高画質化を行うための基板である。
【００５４】
基板１２０〜１５０は、それぞれ、後述するコントローラ１７０が発生する共通コマンドＣＣＭＤのそれぞれに対応した処理内容および優先度情報を記憶した、記憶媒体としてのＲＯＭ(Read Only Memory)１２２〜１５２を備えている。
【００５５】
ここでは、優先度情報として、優先度を表す優先度番号が用いられる。この優先度番号は、所定の共通コマンドＣＣＭＤが発生されるとき、その所定の共通コマンドＣＣＭＤに対応した処理を行うために基板１２０〜１５０をどのような順に接続していくかを示す情報である。また、処理内容は、所定の共通コマンドＣＣＭＤが発生されるとき、その所定の共通コマンドＣＣＭＤに対して基板１２０〜１５０でどのような処理をすべきかを示す情報である。
【００５６】
また、画像信号処理装置１１０は、スイッチャ１６０を有している。このスイッチャ１６０は、基板１２０〜１５０を、所定の共通コマンドＣＣＭＤが発生されるとき、その所定のコマンドＣＣＭＤに対応した処理を行い得るように順に接続する。このスイッチャ１６０は、スイッチャ本体１６１の他に、カウンタ１６２を備えている。このカウンタ１６２は、共通コマンドＣＣＭＤが発生されたときカウントを開始し、一定時間毎にカウント値をインクリメントしていく。このカウント値の最後の値は、少なくとも、上述した優先度番号の最大値以上とされる。
【００５７】
このスイッチャ１６０は、所定の共通コマンドＣＣＭＤが発生されるとき、基板１２０〜１５０のそれぞれを、スイッチャ本体１６１により、当該基板１２０〜１５０のＲＯＭ１２２〜１５２に記憶されている、当該所定の共通コマンドＣＣＭＤに対応した優先度番号がカウンタ１６２のカウント値に一致した順に接続し、当該所定の共通コマンドＣＣＭＤに対応した処理系を構成する。
【００５８】
なおこの場合、所定の共通コマンドＣＣＭＤに対応した優先度番号がＲＯＭに記憶されていない基板は、処理系に接続されない。このような基板は、当該所定の共通コマンドＣＣＭＤに対応した処理には不要な基板である。
【００５９】
また、画像信号処理装置１１０は、ユーザの操作に対応して共通コマンドＣＣＭＤを発生するコントローラ１７０と、この共通コマンドＣＣＭＤを基板１２０〜１５０およびスイッチャ１６０に分配して送信する分配器１８０を有している。コントローラ１７０は、リモートコントローラ（リモコン）であり、共通コマンドＣＣＭＤを赤外線等のリモコン信号として送信する。分配器１８０は、コントローラ１７０からのリモコン信号を受信する受信部１８１と、この受信部１８１で得られるリモコン信号としての共通コマンドＣＣＭＤを分配するシリアルハブ１８２とからなっている。
【００６０】
図３は、コントローラ１７０の外観を示している。図示のように、このコントローラ１７０には、共通コマンドＣＣＭＤをリモコン信号として送信するための赤外線発光部１７１と、各種設定画面などを表示するための画像表示素子であるＬＣＤ(Liquid Crystal Display)１７２が設けられている。
【００６１】
また、このコントローラ１７０には、画像信号処理装置１１０の電源をオンまたはオフとする場合に操作する電源ボタン１７３と、画像信号処理装置１１０で実行される処理を選択する場合に操作するボタン群１７４と、ＬＣＤ１７２に表示されるカーソルを移動させる場合に操作する十字ボタン１７５と、チャネルを切り替える場合に操作するチャネル切替ボタン１７６が設けられている。
【００６２】
ボタン群１７４には、「ＤＶＤ再生」、「ＤＶＤ→ＨＤＤ」、「ＨＤＤ→ＤＶＤ」、「ブルーレイ再生」、「地上波を見る」、「ＢＳハイビジョンを見る」、「地上波をＤＶＤ録画」、「地上波をＨＤＤ録画」、「地上波をブルーレイ録画」、「ＢＳハイビジョンをＤＶＤ録画」、「ＢＳハイビジョンをＨＤＤ録画」および「ＢＳハイビジョンをブルーレイ録画」の処理を選択するボタンと、メニュー表示ボタン、操作決定ボタンおよび操作キャンセルボタンが含まれている。
【００６３】
次に、基板１２０〜１５０の回路構成を説明する。
【００６４】
まず、入力基板１２０の回路構成を説明する。図４は、入力基板１２０の回路構成を示している。この入力基板１２０は、基板全体の動作を制御するＭＰＵ(Micro Processing Unit）１２１と、このＭＰＵ１２１の制御プログラム等が格納されたＲＯＭ１２２と、ＭＰＵ１２１の作業領域を構成するＲＡＭ（Random Access Memory）１２３とを有している。これらはバス１２４に接続されている。ＲＯＭ１２２には、上述したように、コントローラ１７０が発生する共通コマンドＣＣＭＤのそれぞれに対応した処理内容および優先度番号が記憶されている。
【００６５】
図５は、入力基板１２０のＲＯＭ１２２に記憶されている、各共通コマンドと処理内容、優先度番号との対応関係を示している。例えば、「ＤＶＤ再生」の共通コマンドには、処理内容として「ＤＶＤ再生」が対応し、優先度番号として「１」が対応している。また例えば、「ＨＤＤ→ＤＶＤ」の共通コマンドには、処理内容として「ＨＤＤ再生」が対応し、優先度番号として「１」が対応している。また例えば、「地上波をＤＶＤ録画」の共通コマンドには、処理内容として「地上波チューナ駆動」が対応し、優先度番号として「１」が対応している。
【００６６】
また、ＲＯＭ１２２には、各処理内容に対応した、画像信号の出力フォーマットリストも記憶されている。図６は、その出力フォーマットリストを示している。例えば、処理内容が「ＤＶＤ再生」であるときは、出力フォーマットは、５２５ｐのみである。また例えば、処理内容が「ＨＤＤ再生」であるときは、出力フォーマットは、５２５ｉ、５２５ｐ、７５０ｐおよび１１２５ｉのいずれかである。また例えば、処理内容が「地上波チューナ駆動」であるときは、出力フォーマットは、５２５ｉのみである。
【００６７】
図４に戻って、入力基板１２０は、ＤＶＤ再生部（ＤＶＤプレーヤ）１２５-1と、ブルーレイディスク再生部（ブルーレイディスクレコーダ）１２５-2と、ＨＤＤ(Hard Disk Drive)１２５-3と、地上波チューナ１２６-1と、ＢＳチューナ１２６-2とを有している。これらはバス１２４に接続されている。
【００６８】
また、入力基板１２０は、フォーマット変換部１２７を有している。このフォーマット変換部１２７は、ＤＶＤ再生部１２５-1等から再生された画像信号のフォーマット、または地上波チューナ１２６-1等で得られた画像信号のフォーマットを、必要に応じて、他のフォーマットに変換する。このフォーマット変換部１２７はバス１２４に接続されている。
【００６９】
また、入力基板１２０は、入出力Ｉ／Ｆ(Interface)１２８を有している。この入出力Ｉ／Ｆ１２８はバス１２４に接続されている。この入出力Ｉ／Ｆ１２８には、コマンド信号線１２９-1、出力信号線１２９-2および制御信号線１２９-3が接続されている。コマンド信号線１２９-1は、入力基板１２０とシリアルハブ１８２との間に設けられており、シリアルハブ１８２から入力基板１２０に共通コマンドＣＣＭＤを送信するための信号線である。
【００７０】
出力信号線１２９-2は、入力基板１２０とスイッチャ１６０のスイッチャ本体１６１との間に設けられ、入力基板１２０から出力される画像信号ＳＶoutをスイッチャ本体１６１に供給するための信号線である。制御信号線１２９-3は、入力基板１２０とスイッチャ１６０との間に設けられ、スイッチャ１６０から入力基板１２０にカウンタ１６２のカウント値ＣＮＴを送信するため、および入力基板１２０からスイッチャ１６０に接続要求ＣＮＤを送信するための信号線である。
【００７１】
次に、出力基板１３０の回路構成を説明する。図７は、出力基板１３０の回路構成を示している。この出力基板１３０は、基板全体の動作を制御するＭＰＵ１３１と、このＭＰＵ１３１の制御プログラム等が格納されたＲＯＭ１３２と、ＭＰＵ１３１の作業領域を構成するＲＡＭ１３３とを有している。これらはバス１３４に接続されている。ＲＯＭ１３２には、上述したように、コントローラ１７０が発生する共通コマンドＣＣＭＤのそれぞれに対応した処理内容および優先度番号が記憶されている。
【００７２】
図８は、出力基板１３０のＲＯＭ１３２に記憶されている、各共通コマンドと処理内容、優先度番号との対応関係を示している。例えば、「ＤＶＤ再生」の共通コマンドには、処理内容として「モニタへ出力」が対応し、優先度番号として「１０」が対応している。また例えば、「ＨＤＤ→ＤＶＤ」の共通コマンドには、処理内容として「ＤＶＤへ記録」が対応し、優先度番号として「１０」が対応している。また例えば、「地上波をＤＶＤ録画」の共通コマンドには、処理内容として「ＤＶＤへ記録」が対応し、優先度番号として「１０」が対応している。
【００７３】
また、ＲＯＭ１３２には、各処理内容に対応した、画像信号の入力フォーマットリストも記憶されている。図９は、その入力フォーマットリストを示している。例えば、処理内容が「モニタへ出力」であるときは、入力フォーマットは、５２５ｉ、５２５ｐ、７５０ｐおよび１１２５ｉのいずれかである。また例えば、処理内容が「ＤＶＤへ記録」であるときは、入力フォーマットは、５２５ｐのみである。
【００７４】
図７に戻って、出力基板１３０は、ＤＶＤ記録部（ＤＶＤプレーヤ）１３５-1と、ブルーレイディスク記録部（ブルーレイディスクレコーダ）１３５-2と、ＨＤＤ１３５-3とを有している。これらはバス１３４に接続されている。
【００７５】
また、出力基板１３０は、入出力Ｉ／Ｆ１３６を有している。この入出力Ｉ／Ｆ１３６はバス１３４に接続されている。この入出力Ｉ／Ｆ１３６には、コマンド信号線１３７-1、入力信号線１３７-2および制御信号線１３７-3が接続されている。コマンド信号線１３７-1は、出力基板１３０とシリアルハブ１８２との間に設けられており、シリアルハブ１８２から出力基板１３０に共通コマンドＣＣＭＤを送信するための信号線である。
【００７６】
入力信号線１３７-2は、出力基板１３０とスイッチャ１６０のスイッチャ本体１６１との間に設けられ、スイッチャ１６０からの画像信号ＳＶinを出力基板１３０に供給するための信号線である。制御信号線１３７-3は、出力基板１３０とスイッチャ１６０との間に設けられ、スイッチャ１６０から出力基板１３０にカウンタ１６２のカウント値ＣＮＴを送信するため、および出力基板１３０からスイッチャ１６０に接続要求ＣＮＤを送信するための信号線である。
【００７７】
さらに、この入出力Ｉ／Ｆ１３６には、図示しないモニタに画像信号を供給するための出力信号線１３８が接続されている。
【００７８】
次に、ノイズ除去処理基板１４０の回路構成を説明する。図１０は、ノイズ除去処理基板１４０の回路構成を示している。この処理基板１４０は、基板全体の動作を制御するＭＰＵ１４１と、このＭＰＵ１４１の制御プログラム等が格納されたＲＯＭ１４２と、ＭＰＵ１４１の作業領域を構成するＲＡＭ１４３とを有している。これらはバス１４４に接続されている。ＲＯＭ１４２には、上述したように、コントローラ１７０が発生する共通コマンドＣＣＭＤのそれぞれに対応した処理内容および優先度番号が記憶されている。
【００７９】
図１１は、処理基板１４０のＲＯＭ１４２に記憶されている、各共通コマンドと処理内容、優先度番号との対応関係を示している。例えば、「ＤＶＤ再生」の共通コマンドには、処理内容として「MpegDNR処理」が対応し、優先度番号として「３」が対応している。ここで、「MpegDNR処理」は、上述したＭＰＥＧ歪みを低減する処理を意味している。また例えば、「ＨＤＤ→ＤＶＤ」の共通コマンドには、処理内容として「MpegDNR処理」が対応し、優先度番号として「３」が対応している。
【００８０】
また例えば、「地上波をＤＶＤ録画」の共通コマンドには、処理内容および優先度番号は規定されていない。これは、当該処理基板１４０は、「地上波をＤＶＤ録画」の共通コマンドに対応する処理を実行する際には、処理系に挿入されず、ＭＰＥＧ歪みの低減処理が行われないことを意味している。
【００８１】
また、ＲＯＭ１４２には、「MpegDNR処理」に対応した、画像信号の入力フォーマットリストおよび出力フォーマットリストも記憶されている。図１２は、その入力フォーマットリストおよび出力フォーマットリストを示している。入力フォーマットは５２５ｐおよび７５０ｐのいずれかである。出力フォーマットは、入力フォーマットが５２５ｐであるときは５２５ｐであり、入力フォーマットが７５０ｐであるときは７５０ｐである。
【００８２】
図１０に戻って、処理基板１４０は、ノイズ除去処理部１４５と、フォーマット変換部１４６とを有している。ノイズ除去処理部１４５は、画像信号に対して、上述したＭＰＥＧ歪みを低減する処理を行う。フォーマット変換部１４６は、ノイズ除去処理部１４５で処理された画像信号のフォーマットを、必要に応じて、他のフォーマットに変換する。これらノイズ除去処理部１４５およびフォーマット変換部１４６は、バス１４４に接続されている。
【００８３】
また、処理基板１４０は、入出力Ｉ／Ｆ１４７を有している。この入出力Ｉ／Ｆ１４７はバス１４４に接続されている。この入出力Ｉ／Ｆ１４７には、コマンド信号線１４８-1、入力信号線１４８-2、出力信号線１４８-3および制御信号線１４８-4が接続されている。コマンド信号線１４８-1は、処理基板１４０とシリアルハブ１８２との間に設けられており、シリアルハブ１８２から処理基板１４０に共通コマンドＣＣＭＤを送信するための信号線である。
【００８４】
入力信号線１４８-2は、処理基板１４０とスイッチャ１６０のスイッチャ本体１６１との間に設けられ、スイッチャ１６０からの画像信号ＳＶinを処理基板１４０に供給するための信号線である。出力信号線１４８-3は、処理基板１４０とスイッチャ１６０のスイッチャ本体１６１との間に設けられ、処理基板１４０からの画像信号ＳＶoutをスイッチャ１６０に供給するための信号線である。制御信号線１４８-4は、処理基板１４０とスイッチャ１６０との間に設けられ、スイッチャ１６０から処理基板１４０にカウンタ１６２のカウント値ＣＮＴを送信するため、および処理基板１４０からスイッチャ１６０に接続要求ＣＮＤを送信するための信号線である。
【００８５】
次に、高画質化処理基板１５０の回路構成を説明する。図１３は、高画質化処理基板１５０の回路構成を示している。この処理基板１５０は、基板全体の動作を制御するＭＰＵ１５１と、このＭＰＵ１５１の制御プログラム等が格納されたＲＯＭ１５２と、ＭＰＵ１５１の作業領域を構成するＲＡＭ１５３とを有している。これらはバス１５４に接続されている。ＲＯＭ１５２には、上述したように、コントローラ１７０が発生する共通コマンドＣＣＭＤのそれぞれに対応した処理内容および優先度番号が記憶されている。
【００８６】
図１４は、処理基板１５０のＲＯＭ１５２に記憶されている、各共通コマンドと処理内容、優先度番号との対応関係を示している。例えば、「ＤＶＤ再生」の共通コマンドには、処理内容として「高画質化処理」が対応し、優先度番号として「８」が対応している。ここで、「高画質化処理」は、水平、垂直の画素数を増加して高画質化する処理を意味している。また例えば、「ＨＤＤ→ＤＶＤ」の共通コマンドには、処理内容として「高画質化処理」が対応し、優先度番号として「８」が対応している。また例えば、「地上波をＤＶＤ録画」の共通コマンドには、処理内容として「高画質化処理」が対応し、優先度番号として「８」が対応している。
【００８７】
また、ＲＯＭ１５２には、「高画質化処理」に対応した、画像信号の入力フォーマットリストおよび出力フォーマットリストも記憶されている。図１５は、その入力フォーマットリストおよび出力フォーマットリストを示している。入力フォーマットは５２５ｉ、５２５ｐ、１１２５ｉおよび７５０ｐのいずれかである。出力フォーマットは、入力フォーマットが５２５ｉであるときは、５２５ｉ、５２５ｐ、７５０ｐおよび１１２５ｉのいずれかであり、入力フォーマットが５２５ｐであるときは、５２５ｐ、１１２５ｉおよび７５０ｐのいずれかであり、入力フォーマットが１１２５ｉであるときは１１２５ｉおよび７５０ｐのいずれかであり、入力フォーマットが７５０ｐであるときは７５０ｐのみである。
【００８８】
図１３に戻って、処理基板１５０は、高画質化処理部１５５と、フォーマット変換部１５６とを有している。高画質化処理部１５５は、画像信号に対して、水平、垂直の画素数を増加して高画質化する処理を行う。この高画質化処理として、例えば、ＤＲＣ(Digital Reality Creation)処理を適用できる。ＤＲＣ処理とは、出力画像信号の注目位置の画素データを、その注目位置の周辺に位置する入力画像信号の複数の画素データ、およびその注目位置の位相に対応した、予め学習によって生成された係数データを用い、推定式に基づいて求める処理である。フォーマット変換部１５６は、高画質化処理部１５５で処理された画像信号のフォーマットを、必要に応じて、他のフォーマットに変換する。これら高画質化処理部１５５およびフォーマット変換部１５６は、バス１５４に接続されている。
【００８９】
また、処理基板１５０は、入出力Ｉ／Ｆ１５７を有している。この入出力Ｉ／Ｆ１５７には、コマンド信号線１５８-1、入力信号線１５８-2、出力信号線１５８-3および制御信号線１５８-4が接続されている。コマンド信号線１５８-1は、処理基板１５０とシリアルハブ１８２との間に設けられており、シリアルハブ１８２から処理基板１５０に共通コマンドＣＣＭＤを送信するための信号線である。
【００９０】
入力信号線１５８-2は、処理基板１５０とスイッチャ１６０のスイッチャ本体１６１との間に設けられ、スイッチャ１６０からの画像信号ＳＶinを処理基板１５０に供給するための信号線である。出力信号線１５８-3は、処理基板１５０とスイッチャ１６０のスイッチャ本体１６１との間に設けられ、処理基板１５０からの画像信号ＳＶoutをスイッチャ１６０に供給するための信号線である。制御信号線１５８-4は、処理基板１５０とスイッチャ１６０との間に設けられ、スイッチャ１６０から処理基板１５０にカウンタ１６２のカウント値ＣＮＴを送信するため、および処理基板１５０からスイッチャ１６０に接続要求ＣＮＤを送信するための信号線である。
【００９１】
次に、スイッチャ１６０の回路構成を説明する。図１６は、スイッチャ１６０の回路構成を示している。このスイッチャ１６０は、基板全体の動作を制御するＭＰＵ１６３と、このＭＰＵ１６３の制御プログラム等が格納されたＲＯＭ１６４と、ＭＰＵ１６３の作業領域を構成するＲＡＭ１６５とを有している。これらはバス１６６に接続されている。
【００９２】
また、スイッチャ１６０は、スイッチャ本体１６１と、カウンタ１６２とを有している。これらスイッチャ本体１６１およびカウンタ１６２はバス１６６に接続されている。カウンタ１６２は、共通コマンドＣＣＭＤが発生したときカウントを開始するように制御され、その後一定時間毎にカウント値をインクリメントしていくように制御される。
【００９３】
スイッチャ本体１６１は、例えばマトリックススイッチで構成され、その接続が制御されることで基板１２０〜１５０を所定の順に接続する。スイッチャ本体１６１には、入力基板１２０に接続された出力信号線１２９-2、出力基板１３０に接続された入力信号線１３７-2、ノイズ除去処理基板１４０に接続された入力信号線１４８-2および出力信号線１４８-3、さらに高画質化処理基板１５０に接続された入力信号線１５８-2および出力信号線１５８-3が接続されている。
【００９４】
また、スイッチャ１６０は、入出力Ｉ／Ｆ１６７を有している。この入出力Ｉ／Ｆ１６７はバス１６６に接続されている。この入出力Ｉ／Ｆ１６７には、基板１２０〜１５０にそれぞれ接続された制御信号線１２９-3，１３７-3，１４８-4，１５８-4が接続されている。また、この入出力Ｉ／Ｆ１６７には、コマンド信号線１６８が接続されている。このコマンド信号線１６８は、スイッチャ１６０とシリアルハブ１８２との間に設けられており、シリアルハブ１８２からスイッチャ１６０に共通コマンドＣＣＭＤを送信するための信号線である。
【００９５】
次に、図２に示す画像信号処理装置１１０の動作を説明する。
【００９６】
コントローラ１７０からは、ユーザのボタンの押圧操作に対応して、押されたボタンに対応した共通コマンドＣＣＭＤが、リモコン信号として送信される。図１７のフローチャートは、コントローラ１７０の動作を示している。すなわち、ステップＳＴ１で、処理を開始し、ステップＳＴ２で、ボタンが押されたか否かを判定する。ボタンが押されたときは、ステップＳＴ３で、押されたボタンに対応した共通コマンドＣＣＭＤを発生し、それをリモコン信号として送信し、その後にステップＳＴ２に戻る。以下、同様に、ボタンが押される毎に、その押されたボタンに対応した共通コマンドＣＣＭＤを発生し、リモコン信号として送信する。
【００９７】
コントローラ１７０からリモコン信号として送信されてくる共通コマンドＣＣＭＤは、分配器１８０の受信部１８１で受信される。そして、受信された共通コマンドＣＣＭＤは、シリアルハブ１８２により、コマンド信号線１２９-1，１３７-1，１４８-1，１５８-1，１６８を通じて、基板１２０〜１５０およびスイッチャ１６０に送信される。
【００９８】
図１８のフローチャートは、分配器１８０の動作を示している。すなわち、ステップＳＴ１１で、処理を開始し、ステップＳＴ１２で、共通コマンドＣＣＭＤを受信したか否かを判定する。共通コマンドＣＣＭＤを受信したときは、ステップＳＴ１３で、その共通コマンドＣＣＭＤを各機器、つまり基板１２０〜１５０およびスイッチャ１６０に送信する。
【００９９】
スイッチャ１６０では、コマンド信号線１６８を通じて所定の共通コマンドＣＣＭＤが受信されると、カウンタ１６２のカウントが開始され、その後カウント値ＣＮＴは一定時間毎にインクリメントされていく。このカウンタ１６２のカウント値ＣＮＴは、インクリメントされる毎に、スイッチャ１６０から、制御信号線１２９-3，１３７-3，１４８-4，１５８-4を通じて、基板１２０〜１５０に送信される。
【０１００】
基板１２０〜１５０のそれぞれでは、コマンド信号線１２９-1，１３７-1，１４８-1，１５８-1を通じて所定の共通コマンドＣＣＭＤが受信されると、ＲＯＭ１２２，１３２，１４２，１５２から当該所定の共通コマンドＣＣＭＤに対応した優先度番号が取得される。そして、基板１２０〜１５０のそれぞれからは、スイッチャ１６０から送られてくるカウント値ＣＮＴが優先度番号と一致するとき、接続要求ＣＮＤが、制御信号線１２９-3，１３７-3，１４８-4，１５８-4を通じて、スイッチャ１６０に送信される。
【０１０１】
スイッチャ１６０では、制御信号線１２９-3，１３７-3，１４８-4，１５８-4を通じて接続要求ＣＮＤが受信される毎に、スイッチャ本体１６１で、その接続要求ＣＮＤを送信した基板が順に接続されていく。この場合、２番目に接続要求ＣＮＤを送信した基板の入力信号線が最初に接続要求ＣＮＤを送信した基板の出力信号線に接続され、以下、接続要求ＣＮＤを送信した基板の入力信号線が、その前に接続要求ＣＮＤを送信した基板の出力信号線に接続されていく。これにより、最終的に、所定の共通コマンドＣＣＭＤに対応した処理系が構成される。
【０１０２】
また、基板１２０〜１５０のそれぞれでは、ＲＯＭから、受信された所定の共通コマンドＣＣＭＤに対応した処理内容が取得される。そして、基板１２０〜１５０のそれぞれでは、取得された処理内容に基づいて処理部の動作が制御され、処理が開始される。これにより、上述したように構成された処理系により、当該所定の共通コマンドＣＣＭＤに対応した処理が良好に行われる。
【０１０３】
図１９のフローチャートは、各基板の動作を示している。まず、ステップＳＴ２１で、処理を開始し、ステップＳＴ２２で、共通コマンドＣＣＭＤを受信したか否かを判定する。共通コマンドＣＣＭＤを受信したときは、ステップＳＴ２３で、ＲＯＭから共通コマンドＣＣＭＤに対応した優先度番号を取得する。
【０１０４】
そして、ステップＳＴ２４で、スイッチャ１６０からカウント値ＣＮＴを受信したか否かを判定する。受信したときは、ステップＳＴ２５で、ステップＳＴ２３で取得した優先度番号とカウント値ＣＮＴとが一致するか否かを判定する。上述したようにカウント値ＣＮＴは順次インクリメントされていく。優先度番号とカウント値ＣＮＴとの一致判定は、変化するカウント値ＣＮＴを受信する毎に行われる。
【０１０５】
優先度番号とカウント値ＣＮＴが一致するときは、ステップＳＴ２６で、スイッチャ１６０に接続要求ＣＮＤを送信する。そして、ステップＳＴ２７で、ＲＯＭから共通コマンドＣＣＭＤに対応した処理内容を取得し、ステップＳＴ２８で、ステップＳＴ２７で取得した処理内容に基づいて処理部の動作を制御し、処理を開始する。
【０１０６】
このステップＳＴ２８の後に、ステップＳＴ２２に戻る。このステップＳＴ２２で、共通コマンドＣＣＭＤを受信していないときは、ステップＳＴ２９で、処理を継続し、ステップＳＴ２２に戻る。つまり、新たな共通コマンドＣＣＭＤを受信するまでは、ステップＳＴ２８で開始された処理を、続ける。
【０１０７】
図２０のフローチャートは、スイッチャ１６０の動作を示している。まず、ステップＳＴ３１で、処理を開始し、ステップＳＴ３２で、カウンタ１６２のカウント値ＣＮＴを０にセットする。そして、ステップＳＴ３３で、共通コマンドＣＣＭＤを受信したか否かを判定する。共通コマンドＣＣＭＤを受信したときは、ステップＳＴ３４で、カウント値ＣＮＴを１だけ増加、つまりインクリメントし、さらにステップＳＴ３５で、ｔ＝０にセットする。
【０１０８】
次に、ステップＳＴ３６で、カウント値ＣＮＴを、基板１２０〜１５０に送信する。そして、ステップＳＴ３７で、接続要求ＣＮＤを受信したか否かを判定する。接続要求を受信していないときは、ステップＳＴ３８で、一定時間ｔcが経過したか否かを判定する。一定時間ｔcが経過していないときは、ステップＳＴ３７に戻る。
【０１０９】
ステップＳＴ３７で接続要求ＣＮＤを受信したときは、ステップＳＴ３９で、スイッチャ本体１６１を制御して、接続要求ＣＮＤを送信した基板を、処理系を構成するように接続する。そして、ステップＳＴ４０で、一定時間ｔcが経過したか否かを判定する。一定時間ｔcが経過したときは、ステップＳＴ４１に進む。上述したステップＳＴ３８で一定時間ｔcが経過したときも、ステップＳＴ４１に進む。
【０１１０】
このステップＳＴ４１では、カウント値ＣＮＴが最後の値か否かを判定する。カウント値ＣＮＴが最後の値でないときは、ステップＳＴ３４に戻り、カウント値ＣＮＴをインクリメントし、以下上述したと同様に動作する。一方、カウント値ＣＮＴが最後の値であるときは、ステップＳＴ３２に戻ってカウント値ＣＮＴを０にセットし、次の共通コマンドＣＣＭＤの受信を待つ状態となる。
【０１１１】
ここで、例えば、コントローラ１７０から「ＤＶＤ再生」の共通コマンドＣＣＭＤが発生された場合について説明する。
【０１１２】
入力基板１２０のＲＯＭ１２２には、「ＤＶＤ再生」の共通コマンドに対応して、処理内容として「ＤＶＤ再生」が、優先度番号として「１」が、記憶されている（図５参照）。また、出力基板１３０のＲＯＭ１３２には、「ＤＶＤ再生」の共通コマンドに対応して、処理内容として「モニタへ出力」が、優先度番号として「１０」が、記憶されている（図８参照）。また、ノイズ除去処理基板１４０のＲＯＭ１４２には、「ＤＶＤ再生」の共通コマンドに対応して、処理内容として「MpegDNR処理」が、優先度番号として「３」が、記憶されている（図１１参照）。また、高画質化処理基板１５０のＲＯＭ１５２には、「ＤＶＤ再生」の共通コマンドに対応して、処理内容として「高画質化処理」が、優先度番号として「８」が、記憶されている（図１４参照）。
【０１１３】
そのため、まず入力基板１２０で優先度番号「１」とカウント値ＣＮＴとが一致した状態となり、この入力基板１２０からスイッチャ１６０に接続要求ＣＮＤが送信される。次に、ノイズ除去処理基板１４０で、優先度番号「３」とカウント値ＣＮＴとが一致した状態となり、この処理基板１４０からスイッチャ１６０に接続要求ＣＮＤが送信される。これにより、スイッチャ１６０では、入力基板１２０の出力信号線１２９-2と処理基板１４０の入力信号線１４８-2とが接続される。
【０１１４】
次に、高画質化処理基板１５０で、優先度番号「８」とカウント値ＣＮＴとが一致した状態となり、この処理基板１５０からスイッチャ１６０に接続要求ＣＮＤが送信される。これにより、スイッチャ１６０では、処理基板１４０の出力信号線１４８-3と処理基板１５０の入力信号線１５８-2とが接続される。
【０１１５】
次に、出力基板１３０で、優先度番号「１０」とカウント値ＣＮＴとが一致した状態となり、この出力基板１３０からスイッチャ１６０に接続要求ＣＮＤが送信される。これにより、スイッチャ１６０では、処理基板１５０の出力信号線１５８-3と出力基板１３０の入力信号線１３７-2とが接続される。
【０１１６】
このように、「ＤＶＤ再生」の共通コマンドＣＣＭＤの発生に対応して、入力基板１２０、ノイズ除去処理基板１４０、高画質化処理基板１５０および出力基板１３０の順に接続され、「ＤＶＤ再生」の共通コマンドＣＣＭＤに対応した処理を行う処理系が構成される。
【０１１７】
そしてこの場合、入力基板１２０では、ＤＶＤ再生部１２５-1でＤＶＤを再生して画像信号を取得し、この画像信号を出力信号線１２９-2に出力する処理が行われる。また、ノイズ除去処理基板１４０では、入力信号線１４８-2で入力された画像信号に対してノイズ除去処理部１４５でＭＰＥＧ歪みを除去する処理を行い、処理後の画像信号を出力信号線１４８-3に出力する処理が行われる。
【０１１８】
また、高画質化処理基板１５０では、入力信号線１５８-2で入力された画像信号に対して高画質化処理部１５５で高画質化処理を行い、処理後の画像信号を出力信号線１５８-3に出力する処理が行われる。さらに、出力基板１３０では、入力信号線１３７-2で入力された画像信号を、出力信号線１３８に出力する処理が行われる。
【０１１９】
また例えば、コントローラ１７０から「地上波をＤＶＤ録画」の共通コマンドＣＣＭＤが発生された場合について説明する。
【０１２０】
入力基板１２０のＲＯＭ１２２には、「地上波をＤＶＤ録画」の共通コマンドに対応して、処理内容として「地上波チューナ駆動」が、優先度番号として「１」が、記憶されている（図５参照）。また、出力基板１３０のＲＯＭ１３２には、「地上波をＤＶＤ録画」の共通コマンドに対応して、処理内容として「ＤＶＤへ記録」が、優先度番号として「１０」が、記憶されている（図８参照）。また、ノイズ除去処理基板１４０のＲＯＭ１４２には、「地上波をＤＶＤ録画」の共通コマンドに対応して、処理内容および優先度番号は規定されていない（図１１参照）。また、高画質化処理基板１５０のＲＯＭ１５２には、「地上波をＤＶＤ録画」の共通コマンドに対応して、処理内容として「高画質化処理」が、優先度番号として「８」が、記憶されている（図１４参照）。
【０１２１】
そのため、まず入力基板１２０で優先度番号「１」とカウント値ＣＮＴとが一致した状態となり、この入力基板１２０からスイッチャ１６０に接続要求ＣＮＤが送信される。次に、高画質化処理基板１５０で、優先度番号「８」とカウント値ＣＮＴとが一致した状態となり、この処理基板１５０からスイッチャ１６０に接続要求ＣＮＤが送信される。これにより、スイッチャ１６０では、入力基板１２０の出力信号線１２９-2と処理基板１５０の入力信号線１５８-2とが接続される。
【０１２２】
次に、出力基板１３０で、優先度番号「１０」とカウント値ＣＮＴとが一致した状態となり、この出力基板１３０からスイッチャ１６０に接続要求ＣＮＤが送信される。これにより、スイッチャ１６０では、処理基板１５０の出力信号線１５８-3と出力基板１３０の入力信号線１３７-2とが接続される。
【０１２３】
このように、「地上波をＤＶＤ録画」の共通コマンドＣＣＭＤの発生に対応して、入力基板１２０、高画質化処理基板１５０および出力基板１３０の順に接続され、「地上波をＤＶＤ録画」の共通コマンドＣＣＭＤに対応した処理を行う処理系が構成される。この場合、ノイズ除去処理基板１４０は、「地上波をＤＶＤ録画」の共通コマンドＣＣＭＤに対応する処理を実行する際には、処理系に挿入されない。
【０１２４】
そしてこの場合、入力基板１２０では、地上波チューナ１２６-1から画像信号を取得し、この画像信号を出力信号線１２９-2に出力する処理が行われる。また、高画質化処理基板１５０では、入力信号線１５８-2で入力された画像信号に対して高画質化処理部１５５で高画質化処理を行い、処理後の画像信号を出力信号線１５８-3に出力する処理が行われる。さらに、出力基板１３０では、入力信号線１３７-2で入力された画像信号を、ＤＶＤ記録部１３５-1でＤＶＤに記録する処理が行われる。
【０１２５】
上述したように、基板１２０〜１５０が所定の共通コマンドＣＣＭＤに対応した順に接続され、当該所定の共通コマンドＣＣＭＤに対応した処理を行う処理系が構成され、当該処理系で所定のコマンドＣＣＭＤに対応した処理が行われる。この場合、各基板の入力フォーマットおよび出力フォーマットは、以下のように決定される。
【０１２６】
図２１のフローチャートを用いて、入力フォーマットの決定処理を説明する。まず、ステップＳＴ５１で、処理を開始し、ステップＳＴ５２で、ＲＯＭから、処理内容に対応した、自らの入力フォーマットをリストアップする。
【０１２７】
次に、ステップＳＴ５３で、ステップＳＴ５２で得られた入力フォーマットリストを、前段に送信する。このように自らの入力フォーマットリストを前段に送るのは、前段では、後述する出力フォーマットの決定処理を行う際に、後段の入力フォーマットリストを必要とするからである。
【０１２８】
ここで、入出力フォーマットの決定のために、基板間でフォーマット情報を送受信する際には、例えば、スイッチャ本体１６１で接続されている基板間の画像信号線、あるいは基板１２０〜１５０とスイッチャ１６０との間に設けられている制御信号線が用いられる。
【０１２９】
次に、ステップＳＴ５４で、前段の出力フォーマットを受信する。そして、ステップＳＴ５５で、前段の出力フォーマットを、入力フォーマットに決定する。この場合、前段の出力フォーマットは、自らの入力フォーマットリストに含まれるフォーマットのいずれかになっている。このステップＳＴ５５の後に、ステップＳＴ５６で、処理を終了する。
【０１３０】
図２２のフローチャートを用いて、出力フォーマットの決定処理を説明する。まず、ステップＳＴ６１で、処理を開始し、ステップＳＴ６２で、後段の入力フォーマットリストを受信する。そして、ステップＳＴ６３で、ＲＯＭから、処理内容に対応した自らの入力フォーマットに対応した出力フォーマットをリストアップする。
【０１３１】
次に、ステップＳＴ６４で、後段の入力フォーマットリストに、自らの出力フォーマットと一致するフォーマットが存在するか否かを判定する。一致するフォーマットが存在するときは、ステップＳＴ６５で、一致するフォーマットをリストアップし、最高画質のフォーマットを出力フォーマットに決定する。
【０１３２】
次に、ステップＳＴ６６で、後段に決定した出力フォーマットを送信する。このように決定した出力フォーマットを後段に送るのは、後段では、上述した入力フォーマットの決定処理を行う際に、前段の出力フォーマットを必要とするからである。このステップＳＴ６６の後にステップＳＴ６７で、処理を終了する。
【０１３３】
また、上述のステップＳＴ６４で一致するフォーマットが存在しないときは、ステップＳＴ６８で、後段の入力フォーマットに自らの入力フォーマットより高画質のフォーマットが存在するか否かを判定する。高画質のフォーマットが存在するときは、ステップＳＴ６９で、後段の入力フォーマットリストのうち、自らの入力フォーマットに対して高画質側に最も近いフォーマットを、出力フォーマットに決定する。その後に、ステップＳＴ６６で、後段に決定した出力フォーマットを送信し、ステップＳＴ６７で処理を終了する。
【０１３４】
また、上述のステップＳＴ６８で高画質のフォーマットが存在しないときは、ステップＳＴ７０で、後段の入力フォーマットリストのうち、自らの入力フォーマットに対して低画質側に最も近いフォーマットを、出力フォーマットに決定する。その後に、ステップＳＴ６６で、後段に決定した出力フォーマットを送信し、ステップＳＴ６７で処理を終了する。
【０１３５】
ここで、例えば、コントローラ１７０から「ＤＶＤ再生」の共通コマンドＣＣＭＤが発生された場合について説明する。この場合、上述したように、入力基板１２０、ノイズ除去処理基板１４０、高画質化処理基板１５０および出力基板１３０の順に接続される。またこの場合、入力基板１２０では「ＤＶＤ再生」が行われ、ノイズ除去処理基板１４０では「MpegDNR処理」が行われ、高画質化処理基板１５０では「高画質化処理」が行われ、さらに出力基板１３０では「モニタへ出力」が行われる。
【０１３６】
この場合、ノイズ除去処理基板１４０の入力フォーマットリストには、５２５ｐおよび７５０ｐが含まれる（図１２参照）。また、入力基板１２０のＤＶＤ再生で得られる画像信号のフォーマットは５２５ｐである（図６参照）。そのため、入力基板１２０では、図２２のステップＳＴ６３で、出力フォーマットとして５２５ｐがリストアップされる。この５２５ｐはノイズ除去処理基板１４０の入力フォーマットリストに存在することから、入力基板１２０では、５２５ｐが出力フォーマットに決定される。この場合、入力基板１２０では、フォーマット変換部１２７は使用されない。
【０１３７】
また、入力基板１２０の出力フォーマットが５２５ｐに決定されることから、ノイズ除去処理基板１４０の入力フォーマットは、５２５ｐに決定される。また、高画質化処理基板１５０の入力フォーマットリストには、５２５ｉ、５２５ｐ、７５０ｐおよび１１２５ｉが含まれる（図１５参照）。また、ノイズ除去処理基板１４０で、５２５ｐの入力フォーマットに対応した出力フォーマットは５２５ｐである（図１２参照）。この５２５ｐは高画質化処理基板１５０の入力フォーマットリストに存在することから、ノイズ除去処理基板１４０では、５２５ｐが出力フォーマットに決定される。この場合、ノイズ除去処理基板１４０では、フォーマット変換部１４６は使用されない。
【０１３８】
また、ノイズ除去処理基板１４０の出力フォーマットが５２５ｐに決定されることから、高画質化処理基板１５０の入力フォーマットは、５２５ｐに決定される。また、出力基板１３０の入力フォーマットリストには、５２５ｉ、５２５ｐ、７５０ｐおよび１１２５ｉが含まれる（図９参照）。また、高画質化処理基板１５０で、５２５ｐの入力フォーマットに対応した出力フォーマットは、５２５ｐ、１１２５ｉおよび７５０ｐである（図１５参照）。５２５ｐ、１１２５ｉおよび７５０ｐのいずれも出力基板１３０の入力フォーマットリストに存在することから、高画質化処理基板１５０では、最高画質である７５０ｐが出力フォーマットに決定される。この場合、高画質化処理基板１５０では、フォーマット変換部１５６は使用されない。
【０１３９】
また、高画質化処理基板１５０の出力フォーマットが７５０ｐに決定されることから、出力基板１３０の入力フォーマットは、７５０ｐに決定される。
【０１４０】
また例えば、コントローラ１７０から「地上波をＤＶＤ録画」の共通コマンドＣＣＭＤが発生された場合について説明する。この場合、上述したように、入力基板１２０、高画質化処理基板１５０および出力基板１３０の順に接続される。またこの場合、入力基板１２０では「地上波チューナ駆動」が行われ、高画質化処理基板１５０では「高画質化処理」が行われ、さらに出力基板１３０では「ＤＶＤへ記録」が行われる。
【０１４１】
この場合、高画質化処理基板１５０の入力フォーマットリストには、５２５ｉ、５２５ｐ、７５０ｐおよび１１２５ｉが含まれる（図１４参照）。また、入力基板１２０の地上波チューナ駆動で得られる画像信号のフォーマットは５２５ｉである（図６参照）。そのため、入力基板１２０では、図２２のステップＳＴ６３で、出力フォーマットとして５２５ｉがリストアップされる。この５２５ｉは高画質化処理基板１５０の入力フォーマットリストに存在することから、入力基板１２０では、５２５ｉが出力フォーマットに決定される。この場合、入力基板１２０では、フォーマット変換部１２７は使用されない。
【０１４２】
また、入力基板１２０の出力フォーマットが５２５ｉに決定されることから、高画質化処理基板１５０の入力フォーマットは、５２５ｉに決定される。また、出力基板１３０の入力フォーマットリストには、５２５ｐが含まれる（図９参照）。また、高画質化処理基板１５０で、５２５ｉの入力フォーマットに対応した出力フォーマットは、５２５ｉ、５２５ｐ、１１２５ｉおよび７５０ｐである（図１５参照）。５２５ｐが出力基板１３０の入力フォーマットリストに存在することから、高画質化処理基板１５０では、５２５ｐが出力フォーマットに決定される。この場合、高画質化処理基板１５０では、フォーマット変換部１５６は使用されない。
【０１４３】
また、高画質化処理基板１５０の出力フォーマットが５２５ｐに決定されることから、出力基板１３０の入力フォーマットは、５２５ｐに決定される。
【０１４４】
また例えば、コントローラ１７０から「ＨＤＤ→ＤＶＤ」の共通コマンドＣＣＭＤが発生された場合について説明する。この場合、入力基板１２０、ノイズ除去処理基板１４０、高画質化処理基板１５０および出力基板１３０の順に接続される。またこの場合、入力基板１２０では「ＨＤＤ再生」が行われ、ノイズ除去処理基板１４０では「MpegDNR処理」が行われ、高画質化処理基板１５０では「高画質化処理」が行われ、さらに出力基板１３０では「ＤＶＤへ記録」が行われる。
【０１４５】
この場合、ノイズ除去処理基板１４０の入力フォーマットリストには、５２５ｐおよび７５０ｐが含まれる（図１２参照）。また、入力基板１２０のＨＤＤ再生で得られる画像信号のフォーマットは例えば５２５ｉであるとする（図６参照）。そのため、入力基板１２０では、図２２のステップＳＴ６３で、出力フォーマットとして５２５ｉがリストアップされる。この５２５ｉはノイズ除去処理基板１４０の入力フォーマットリストに存在しない。入力基板１２０では、５２５ｉを自らの入力フォーマットであると見なして、５２５ｉに対して高画質側に最も近い５２５ｐが出力フォーマットに決定される。この場合、入力基板１２０では、フォーマット変換部１２７を用いて、５２５ｉから５２５ｐへのフォーマット変換が行われる。
【０１４６】
また、入力基板１２０の出力フォーマットが５２５ｐに決定されることから、ノイズ除去処理基板１４０の入力フォーマットは、５２５ｐに決定される。また、高画質化処理基板１５０の入力フォーマットリストには、５２５ｐ、７５０ｐおよび１１２５ｉが含まれる（図１５参照）。また、ノイズ除去処理基板１４０で、５２５ｐの入力フォーマットに対応した出力フォーマットは５２５ｐである（図１２参照）。この５２５ｐは高画質化処理基板１５０の入力フォーマットリストに存在することから、ノイズ除去処理基板１４０では、５２５ｐが出力フォーマットに決定される。この場合、ノイズ除去処理基板１４０では、フォーマット変換部１４６は使用されない。
【０１４７】
また、ノイズ除去処理基板１４０の出力フォーマットが５２５ｐに決定されることから、高画質化処理基板１５０の入力フォーマットは、５２５ｐに決定される。また、出力基板１３０の入力フォーマットリストには、５２５ｐが含まれる（図９参照）。また、高画質化処理基板１５０で、５２５ｐの入力フォーマットに対応した出力フォーマットは、５２５ｐ、１１２５ｉおよび７５０ｐである（図１５参照）。５２５ｐは出力基板１３０の入力フォーマットリストに存在することから、高画質化処理基板１５０では、５２５ｐが出力フォーマットに決定される。この場合、高画質化処理基板１５０では、フォーマット変換部１５６は使用されない。
【０１４８】
また、高画質化処理基板１５０の出力フォーマットが５２５ｐに決定されることから、出力基板１３０の入力フォーマットは、５２５ｐに決定される。
【０１４９】
なお、上述した入出力フォーマットの決定処理では、後段の入力フォーマットリストに、自らの出力フォーマットと一致するフォーマットが存在しない場合、出力フォーマットを後段の入力フォーマットリストのうち、自らの入力フォーマットに近い画質のフォーマットに決定するものを示した。
【０１５０】
しかし、後段の入力フォーマットリストに、自らの出力フォーマットと一致するフォーマットが存在しない場合、後段に自らの出力フォーマットリストに存在する出力フォーマットを送信し、当該後段では前段から送られてくる出力フォーマットに基づいて、スルー処理（前段の出力信号線と後段の入力信号線とを接続する処理）を行う構成とすることも考えられる。
【０１５１】
図２３のフローチャートを用いて、入力フォーマットの決定処理（信号処理スルー型）を説明する。まず、ステップＳＴ８１で、処理を開始し、ステップＳＴ８２で、ＲＯＭから、処理内容に対応した、自らの入力フォーマットをリストアップする。
【０１５２】
次に、ステップＳＴ８３で、ステップＳＴ８２で得られた入力フォーマットリストを、前段に送信する。このように自らの入力フォーマットリストを前段に送るのは、前段では、後述する出力フォーマットの決定処理を行う際に、後段の入力フォーマットリストを必要とするからである。
【０１５３】
次に、ステップＳＴ８４で、前段の出力フォーマットを受信する。そして、ステップＳＴ８５で、前段の出力フォーマットが自らの入力フォーマットリストに存在するか否かを判定する。存在するときは、ステップＳＴ８６で、前段の出力フォーマットを、入力フォーマットに決定する。そして、ステップＳＴ８７で、処理を終了する。
【０１５４】
また、ステップＳＴ８５で前段の出力フォーマットが自らの入力フォーマットリストに存在しないときは、入力フォーマットを決定することなく、ステップＳＴ８８で、スルー処理を選択し、前段の出力信号線と後段の入力信号線とを接続し、その後にステップＳＴ８７で、処理を終了する。この場合、前段における後段は、実質的には自らではなくなる。
【０１５５】
図２４のフローチャートを用いて、出力フォーマットの決定処理を説明する。まず、ステップＳＴ９１で、処理を開始し、ステップＳＴ９２で、上述した入力フォーマットの決定処理で、スルー処理を選択したか否かを判定する。スルー処理を選択していないときは、ステップＳＴ９３に進む。このステップＳＴ９３では、ＲＯＭから、処理内容に対応した自らの入力フォーマットに対応した出力フォーマットをリストアップする。
【０１５６】
次に、ステップＳＴ９４で、後段の入力フォーマットリストを受信する。そして、ステップＳＴ９５で、後段の入力フォーマットリストに、自らの出力フォーマットと一致するフォーマットが存在するか否かを判定する。一致するフォーマットが存在するときは、ステップＳＴ９６で、一致するフォーマットをリストアップし、最高画質のフォーマットを出力フォーマットに決定する。
【０１５７】
次に、ステップＳＴ９７で、後段に決定した出力フォーマットを送信する。このように決定した出力フォーマットを後段に送るのは、後段では、上述した入力フォーマットの決定処理を行う際に、前段の出力フォーマットを必要とするからである。このステップＳＴ９７の後にステップＳＴ９８で、処理を終了する。
【０１５８】
また、上述のステップＳＴ９５で一致するフォーマットが存在しないときは、ステップＳＴ９９で、後段が出力基板であるか否かを判定する。後段が出力基板でないときは、ステップＳＴ１００で、後段に、自らの出力フォーマットリストに存在する出力フォーマットを送信する。この場合、後段では、上述した入力フォーマットの決定処理（図２３参照）により、スルー処理が選択されることとなり、実質的な後段が、当該スルー処理を選択した基板の後段となる。このステップＳＴ１００の処理の後に、ステップＳＴ９４に戻り、新たな後段を対象として、出力フォーマットを決定する処理に移る。
【０１５９】
また、ステップＳＴ９９で、後段が出力基板であるときは、ステップＳＴ１０１で、後段の入力フォーマットに自らの入力フォーマットより高画質のフォーマットが存在するか否かを判定する。高画質のフォーマットが存在するときは、ステップＳＴ１０２で、後段の入力フォーマットリストのうち、自らの入力フォーマットに対して高画質側に最も近いフォーマットを、出力フォーマットに決定する。その後に、ステップＳＴ９７で、後段に決定した出力フォーマットを送信し、ステップＳＴ９８で処理を終了する。
【０１６０】
また、上述のステップＳＴ１０１で高画質のフォーマットが存在しないときは、ステップＳＴ１０３で、後段の入力フォーマットリストのうち、自らの入力フォーマットに対して低画質側に最も近いフォーマットを、出力フォーマットに決定する。その後に、ステップＳＴ９７で、後段に決定した出力フォーマットを送信し、ステップＳＴ９８で処理を終了する。
【０１６１】
このように、前段の出力フォーマットが自らの入力フォーマットリストに存在しないときは、入力フォーマットを決定することなく、スルー処理を選択し、前段の出力信号線と後段の入力信号線とを接続することで、このスルー処理を選択した次の基板が実質的な後段となり、前段では、この実質的な後段の入力フォーマットリストに基づいて出力を決定できる。したがって、フォーマット変換手段の使用回数を減らすことができ、それによる画質劣化を防止できる。
【０１６２】
以上説明したように、図２に示す画像信号処理装置１１０によれば、基板１２０〜１５０のそれぞれにコントローラ１７０が発生する共通コマンドのそれぞれに対応した優先度番号を持たせ、コントローラ１７０からの所定の共通コマンドＣＣＭＤの発生に伴って、基板１２０〜１５０を、当該所定の共通コマンドＣＣＭＤに対応した優先度番号に基づいてスイッチャ１６０で順に接続するものであり、所定の共通コマンドＣＣＭＤに対応した処理系を容易に構成でき、ユーザに基板間の配線変更などの煩わしさを与えることなく、当該所定の共通コマンドＣＣＭＤに対応した画像信号処理を良好に行わせることができる。
【０１６３】
次に、この発明の第２の実施の形態について説明する。図２５は、第２の実施の形態としての、スイッチャ分散型の情報信号処理装置２００の構成を示している。
【０１６４】
この情報信号処理装置２００は、Ｎ個の基板２０１-1〜２０１-Nを有している。基板２０１-1〜２０１-Nは、それぞれ、情報信号を処理する処理ブロックを構成している。基板２０１-1〜２０１-Nは、それぞれ、後述するコントローラ２０５が発生する共通コマンドＣＣＭＤのそれぞれに対応した処理内容および優先度情報を記憶した記憶媒体２０２-1〜２０２-Nを備えている。
【０１６５】
ここでは、優先度情報として、優先度を表す優先度番号が用いられる。この優先度番号は、所定の共通コマンドＣＣＭＤが発生されるとき、その所定の共通コマンドＣＣＭＤに対応した処理を行うために基板２０１-1〜２０１-Nをどのような順に接続していくかを示す情報である。また、処理内容は、所定の共通コマンドＣＣＭＤが発生されるとき、その所定の共通コマンドＣＣＭＤに対して基板２０１-1〜２０１-Nでどのような処理をすべきかを示す情報である。
【０１６６】
また、基板２０１-1〜２０１-Nは、それぞれ、他の任意の基板と接続するためのスイッチャ２０３-1〜２０３-Nを備えている。これらスイッチャ２０３-1〜２０３-Nは、基板２０１-1〜２０１-Nを、所定の共通コマンドＣＣＭＤが発生されるとき、その所定の共通コマンドＣＣＭＤに対応した処理を行い得るように順に接続する。これらスイッチャ２０３-1〜２０３-Nのそれぞれは、上述した情報信号処理装置１００（図１参照）のスイッチャ１０３を構成するスイッチャ本体１０３ａに対応するものである。
【０１６７】
また、情報信号処理装置２００は、上述した基板２０１-1〜２０１-Nのスイッチャ２０３-1〜２０３-Nの信号線を互いに接続する、スイッチャ接続手段としてのハブ２０４を有している。このハブ２０４は、ハブ本体２０４ａの他に、カウンタ２０４ｂを備えている。このカウンタ２０４ｂは、共通コマンドＣＣＭＤが発生したときカウントを開始し、一定時間毎にカウント値をインクリメントしていく。このカウント値の最後の値は、少なくとも、上述した優先度番号の最大値以上とされる。
【０１６８】
基板２０１-1〜２０１-Nのスイッチャ２０３-1〜２０３-Nは、所定の共通コマンドＣＣＭＤが発生されるとき、基板２０１-1〜２０１-Nのそれぞれを、当該基板２０１-1〜２０１-Nの記憶媒体２０２-1〜２０２-Nに記憶されている、当該所定の共通コマンドＣＣＭＤに対応した優先度番号がカウンタ２０４ｂのカウント値に一致した順に接続し、当該所定の共通コマンドＣＣＭＤに対応した処理系を構成する。
【０１６９】
なおこの場合、所定の共通コマンドＣＣＭＤに対応した優先度番号が記憶媒体に記憶されていない基板は、処理系に接続されない。このような基板は、当該所定の共通コマンドＣＣＭＤに対応した処理には不要な基板である。
【０１７０】
また、情報信号処理装置２００は、ユーザの操作に対応して共通コマンドＣＣＭＤを発生するコントローラ２０５と、この共通コマンドＣＣＭＤを基板２０１-1〜２０１-Nおよびハブ２０４に分配して送信する分配器２０６を有している。コントローラ２０５は、例えばリモートコントローラ（リモコン）であり、共通コマンドＣＣＭＤを赤外線等のリモコン信号として送信する。分配器２０６は、例えばリモコン信号を受信する受信部を備え、この受信部で得られるリモコン信号としての共通コマンドＣＣＭＤを分配する。
【０１７１】
図１に示す情報信号処理装置１００の動作を説明する。コントローラ２０５からユーザの操作に対応した共通コマンドＣＣＭＤが発生されると、分配器２０６からこの共通コマンドＣＣＭＤが基板２０１-1〜２０１-Nおよびハブ２０４のそれぞれに送信される。
【０１７２】
ハブ２０４では、所定の共通コマンドＣＣＭＤが受信されると、カウンタ２０４ｂのカウントが開始され、一定時間毎にカウント値がインクリメントされていく。そして、基板２０１-1〜２０１-Nのスイッチャ２０３-1〜２０３-Nでは、基板２０１-1〜２０１-Nのそれぞれが、当該基板２０１-1〜２０１-Nの記憶媒体２０２-1〜２０２-Nに記憶されている、当該所定の共通コマンドＣＣＭＤに対応した優先度番号がカウンタ２０４ｂのカウント値に一致した順に接続され、当該所定の共通コマンドＣＣＭＤに対応した処理系が構成される。
【０１７３】
また、基板２０１-1〜２０１-Nでは、それぞれ、所定の共通コマンドＣＣＭＤが受信されると、当該基板２０１-1〜２０１-Nの記憶媒体２０２-1〜２０２-Nに記憶されている、当該所定の共通コマンドＣＣＭＤに対応した処理内容を行うように動作が制御される。
【０１７４】
このように、コントローラ２０５から所定の共通コマンドＣＣＭＤが発生されると、基板２０１-1〜２０１-Nおよびハブ２０４で、当該所定の共通コマンドＣＣＭＤに対応した処理系が構成されると共に、この処理系を構成する各基板の動作が当該所定の共通コマンドＣＣＭＤに対応した処理内容を行うように制御され、当該所定の共通コマンドＣＣＭＤに対応した処理がユーザを煩わせることなく良好に行われる。
【０１７５】
次に、図２５に示す情報信号処理装置１００の具体例を説明する。図２６は、その具体例としての、画像信号処理装置２１０を示している。
【０１７６】
この画像信号処理装置２１０は、入力基板２２０と、出力基板２３０と、ノイズ除去処理基板２４０と、高画質化処理基板２５０とを有している。これらの基板２２０〜２５０は、それぞれ、情報信号としての画像信号を処理する処理ブロックを構成している。これら基板２２０〜２５０は、それぞれ、上述した画像信号処理装置１１０（図２参照）における基板１２０〜１５０に対応した基板である。
【０１７７】
入力基板２２０は、画像信号を取得する処理を行うための基板である。出力基板２３０は、画像信号を記録し、あるいはモニタに出力する処理を行うための基板である。ノイズ除去処理基板２４０は、ＭＰＥＧの符号化、復号化を経たことによって発生したブロック歪み、モスキートノイズ（ＭＰＥＧ歪み）を低減する処理を行うための基板である。高画質化処理基板２５０は、水平、垂直の画素数を増加して高画質化を行うための基板である。
【０１７８】
基板２２０〜２５０は、それぞれ、後述するコントローラ１７０が発生する共通コマンドＣＣＭＤのそれぞれに対応した処理内容および優先度情報を記憶した、記憶媒体としてのＲＯＭ１２２〜１５２を備えている。
【０１７９】
ここでは、優先度情報として、優先度を表す優先度番号が用いられる。この優先度番号は、所定の共通コマンドＣＣＭＤが発生されるとき、その所定の共通コマンドＣＣＭＤに対応した処理を行うために基板２２０〜２５０をどのような順に接続していくかを示す情報である。また、処理内容は、所定の共通コマンドＣＣＭＤが発生されるとき、その所定の共通コマンドＣＣＭＤに対して基板２２０〜２５０でどのような処理をすべきかを示す情報である。
【０１８０】
また、基板２２０〜２５０は、それぞれ、他の任意の基板と接続するためのスイッチャ２２１〜２５１を備えている。これらスイッチャ２２１〜２５１は、基板２２０〜２５０を、所定の共通コマンドＣＣＭＤが発生されるとき、その所定のコマンドＣＣＭＤに対応した処理を行い得るように順に接続する。
【０１８１】
また、画像信号処理装置２１０は、上述した基板２２０〜２５０のスイッチャ２２１〜２５１の信号線を互いに接続する、スイッチャ接続手段としてのハブ２６０を有している。このハブ２６０は、ハブ本体２６１の他に、カウンタ２６２を備えている。このカウンタ２６２は、共通コマンドＣＣＭＤが発生したときカウントを開始し、一定時間毎にカウント値をインクリメントしていく。このカウント値の最後の値は、少なくとも、上述した優先度番号の最大値以上とされる。
【０１８２】
基板２２０〜２５０のスイッチャ２２１〜２５１は、所定の共通コマンドＣＣＭＤが発生されるとき、基板２２０〜２５０のそれぞれを、当該基板２２０〜２５０のＲＯＭ１２２〜１５２に記憶されている、当該所定の共通コマンドＣＣＭＤに対応した優先度番号がカウンタ２６２のカウント値に一致した順に接続し、当該所定の共通コマンドＣＣＭＤに対応した処理系を構成する。
【０１８３】
なおこの場合、所定の共通コマンドＣＣＭＤに対応した優先度番号が記憶媒体に記憶されていない基板は、処理系に接続されない。このような基板は、当該所定の共通コマンドＣＣＭＤに対応した処理には不要な基板である。
【０１８４】
また、画像信号処理装置２１０は、ユーザの操作に対応して共通コマンドＣＣＭＤを発生するコントローラ１７０と、この共通コマンドＣＣＭＤを基板２２０〜２５０およびハブ２６０に分配して送信する分配器１８０を有している。これらコントローラ１７０および分配器１８０は、上述した画像信号処理装置１１０（図２参照）におけるコントローラ１７０および分配器１８０と同じものである。
【０１８５】
次に、基板２２０〜２５０の回路構成を説明する。
まず、入力基板２２０の回路構成を説明する。図２７は、入力基板２２０の回路構成を示している。この図２７において、図４と対応する部分には同一符号を付し、適宜、その詳細説明は省略する。
【０１８６】
入力基板２２０は、基板全体の動作を制御するＭＰＵ１２１と、このＭＰＵ１２１の制御プログラム等が格納されたＲＯＭ１２２と、ＭＰＵ１２１の作業領域を構成するＲＡＭ１２３とを有している。これらはバス１２４に接続されている。ＲＯＭ１２２には、上述したように、コントローラ１７０が発生する共通コマンドＣＣＭＤのそれぞれに対応した処理内容および優先度番号（図５参照）が記憶されていると共に、各処理内容に対応した画像信号の出力フォーマットリスト（図６参照）も記憶されている。
【０１８７】
また、入力基板２２０は、ＤＶＤ再生部（ＤＶＤプレーヤ）１２５-1と、ブルーレイディスク再生部（ブルーレイディスクレコーダ）１２５-2と、ＨＤＤ１２５-3と、地上波チューナ１２６-1と、ＢＳチューナ１２６-2と、フォーマット変換部１２７とを有している。これらはバス１２４に接続されている。
【０１８８】
また、入力基板２２０は、スイッチャ２２１と、入出力Ｉ／Ｆ２２３とを有している。これらスイッチャ２２１および入出力Ｉ／Ｆ２２３は、バス１２４に接続されている。
スイッチャ２２１には、上述したハブ２６０のハブ本体２６１に接続されている、１番目からＭ番目の信号線Ｓ1〜ＳMが接続されている。
【０１８９】
入出力Ｉ／Ｆ２２３には、コマンド信号線２２４-1、出力信号線２２４-2および制御信号線２２４-3が接続されている。コマンド信号線２２４-1は、入力基板２２０とシリアルハブ１８２との間に設けられており、シリアルハブ１８２から入力基板２２０に共通コマンドＣＣＭＤを送信するための信号線である。出力信号線２２４-2は、スイッチャ２２１との間に設けられ、入出力Ｉ／Ｆ２２３から出力される画像信号ＳＶoutをスイッチ２２１に供給するための信号線である。制御信号線２２４-3は、入力基板２２０とハブ２６０との間に設けられ、ハブ２６０から入力基板２２０にカウンタ２６２のカウント値ＣＮＴを送信するための信号線である。
【０１９０】
次に、出力基板２３０の回路構成を説明する。図２８は、出力基板２３０の回路構成を示している。この図２８において、図７と対応する部分には同一符号を付し、適宜、その詳細説明は省略する。
【０１９１】
この出力基板２３０は、基板全体の動作を制御するＭＰＵ１３１と、このＭＰＵ１３１の制御プログラム等が格納されたＲＯＭ１３２と、ＭＰＵ１３１の作業領域を構成するＲＡＭ１３３とを有している。これらはバス１３４に接続されている。ＲＯＭ１３２には、上述したように、コントローラ１７０が発生する共通コマンドＣＣＭＤのそれぞれに対応した処理内容および優先度番号（図８参照）が記憶されていると共に、各処理内容に対応した、画像信号の入力フォーマットリスト（図９参照）も記憶されている。
【０１９２】
また、出力基板２３０は、ＤＶＤ記録部（ＤＶＤプレーヤ）１３５-1と、ブルーレイディスク記録部（ブルーレイディスクレコーダ）１３５-2と、ＨＤＤ１３５-3とを有している。これらはバス１３４に接続されている。
【０１９３】
また、出力基板２３０は、スイッチャ２３１と、入出力Ｉ／Ｆ２３３とを有している。これらスイッチャ２３１および入出力Ｉ／Ｆ２３３は、バス１３４に接続されている。
スイッチャ２３１には、上述したハブ２６０のハブ本体２６１に接続されている、１番目からＭ番目の信号線Ｓ1〜ＳMが接続されている。
【０１９４】
入出力Ｉ／Ｆ２３３には、コマンド信号線２３４-1、入力信号線２３４-2および制御信号線２３４-3が接続されている。コマンド信号線２３４-1は、出力基板２３０とシリアルハブ１８２との間に設けられており、シリアルハブ１８２から出力基板２３０に共通コマンドＣＣＭＤを送信するための信号線である。入力信号線２３４-2は、スイッチャ２３１との間に設けられ、スイッチャ２３１からの画像信号ＳＶinを入出力Ｉ／Ｆ２３３に供給するための信号線である。制御信号線２３４-3は、出力基板２３０とハブ２６０との間に設けられ、ハブ２６０から出力基板２３０にカウンタ２６２のカウント値ＣＮＴを送信するための信号線である。
【０１９５】
さらに、この入出力Ｉ／Ｆ２３３には、図示しないモニタに画像信号を供給するための出力信号線２３５が接続されている。
【０１９６】
次に、ノイズ除去処理基板２４０の回路構成を説明する。図２９は、ノイズ除去処理基板２４０の回路構成を示している。この図２９において、図１０と対応する部分には同一符号を付し、適宜、その詳細説明は省略する。
【０１９７】
この処理基板２４０は、基板全体の動作を制御するＭＰＵ１４１と、このＭＰＵ１４１の制御プログラム等が格納されたＲＯＭ１４２と、ＭＰＵ１４１の作業領域を構成するＲＡＭ１４３とを有している。これらはバス１４４に接続されている。ＲＯＭ１４２には、上述したように、コントローラ１７０が発生する共通コマンドＣＣＭＤのそれぞれに対応した処理内容および優先度番号（図１１参照）が記憶されていると共に、「MpegDNR処理」に対応した、画像信号の入力フォーマットリストおよび出力フォーマットリスト（図１２参照）も記憶されている。
【０１９８】
また、処理基板２４０は、ノイズ除去処理部１４５と、フォーマット変換部１４６とを有している。これらノイズ除去処理部１４５およびフォーマット変換部１４６は、バス１４４に接続されている。
【０１９９】
また、処理基板２４０は、スイッチャ２４１と、入出力Ｉ／Ｆ２４３とを有している。これらスイッチャ２４１および入出力Ｉ／Ｆ２４３は、バス１４４に接続されている。
スイッチャ２４１には、上述したハブ２６０のハブ本体２６１に接続されている、１番目からＭ番目の信号線Ｓ1〜ＳMが接続されている。
【０２００】
入出力Ｉ／Ｆ２４３には、コマンド信号線２４４-1、入力信号線２４４-2、出力信号線２４４-3および制御信号線２４４-4が接続されている。コマンド信号線２４４-1は、処理基板２４０とシリアルハブ１８２との間に設けられており、シリアルハブ１８２から処理基板２４０に共通コマンドＣＣＭＤを送信するための信号線である。入力信号線２４４-2は、スイッチャ２４１との間に設けられ、スイッチャ２４１からの画像信号ＳＶinを入出力Ｉ／Ｆ２４３に供給するための信号線である。
【０２０１】
出力信号線２４４-3は、スイッチャ２４１との間に設けられ、入出力Ｉ／Ｆ２４３から出力される画像信号ＳＶoutをスイッチ２４１に供給するための信号線である。制御信号線２４４-4は、処理基板２４０とハブ２６０との間に設けられ、ハブ２６０から処理基板２４０にカウンタ２６２のカウント値ＣＮＴを送信するための信号線である。
【０２０２】
次に、高画質化処理基板２５０の回路構成を説明する。図３０は、高画質化処理基板２５０の回路構成を示している。この図３０において、図１３と対応する部分には同一符号を付し、適宜、その詳細説明は省略する。
【０２０３】
この処理基板２５０は、基板全体の動作を制御するＭＰＵ１５１と、このＭＰＵ１５１の制御プログラム等が格納されたＲＯＭ１５２と、ＭＰＵ１５１の作業領域を構成するＲＡＭ１５３とを有している。これらはバス１５４に接続されている。ＲＯＭ１５２には、上述したように、コントローラ１７０が発生する共通コマンドＣＣＭＤのそれぞれに対応した処理内容および優先度番号（図１４参照）が記憶されていると共に、「高画質化処理」に対応した、画像信号の入力フォーマットリストおよび出力フォーマットリスト（図１５参照）も記憶されている。
【０２０４】
また、処理基板２５０は、高画質化処理部１５５と、フォーマット変換部１５６とを有している。これら高画質化処理部１５５およびフォーマット変換部１５６は、バス１５４に接続されている。
【０２０５】
また、処理基板２５０は、スイッチャ２５１と、入出力Ｉ／Ｆ２５３とを有している。これらスイッチャ２５１および入出力Ｉ／Ｆ２５３は、バス１５４に接続されている。
スイッチャ２５１には、上述したハブ２６０のハブ本体２６１に接続されている、１番目からＭ番目の信号線Ｓ1〜ＳMが接続されている。
【０２０６】
入出力Ｉ／Ｆ２５３には、コマンド信号線２５４-1、入力信号線２５４-2、出力信号線２５４-3および制御信号線２５４-4が接続されている。コマンド信号線２５４-1は、処理基板２５０とシリアルハブ１８２との間に設けられており、シリアルハブ１８２から処理基板２５０に共通コマンドＣＣＭＤを送信するための信号線である。入力信号線２５４-2は、スイッチャ２５１との間に設けられ、スイッチャ２５１からの画像信号ＳＶinを入出力Ｉ／Ｆ２５３に供給するための信号線である。
【０２０７】
出力信号線２５４-3は、スイッチャ２５１との間に設けられ、入出力Ｉ／Ｆ２５３から出力される画像信号ＳＶoutをスイッチ２５１に供給するための信号線である。制御信号線２５４-4は、処理基板２５０とハブ２６０との間に設けられ、ハブ２６０から処理基板２５０にカウンタ２６２のカウント値ＣＮＴを送信するための信号線である。
【０２０８】
次に、ハブ２６０の回路構成を説明する。図３１は、ハブ２６０の回路構成を示している。このハブ２６０は、基板全体の動作を制御するＭＰＵ２６３と、このＭＰＵ２６３の制御プログラム等が格納されたＲＯＭ２６４と、ＭＰＵ２６３の作業領域を構成するＲＡＭ２６５とを有している。これらはバス２６６に接続されている。
【０２０９】
また、ハブ２６０は、ハブ本体１６１と、カウンタ２６２とを有している。これらハブ本体２６１およびカウンタ２６２はバス２６６に接続されている。カウンタ２６２は、共通コマンドＣＣＭＤが発生したときカウントを開始するように制御され、その後一定時間毎にカウント値をインクリメントしていくように制御される。
【０２１０】
ハブ本体２６０により、入力基板２２０に接続された信号線Ｓ1〜ＳM、出力基板２３０に接続された信号線Ｓ1〜ＳM、ノイズ除去処理基板２４０に接続された信号線Ｓ1〜ＳM、さらに高画質化処理基板２５０に接続された信号線Ｓ1〜ＳMが、それぞれ対応するもの同士接続されている（図２６参照）。
【０２１１】
また、ハブ２６０は、入出力Ｉ／Ｆ２６７を有している。この入出力Ｉ／Ｆ２６７はバス２６６に接続されている。この入出力Ｉ／Ｆ２６７には、基板２２０〜２５０にそれぞれ接続された制御信号線２２４-3，２３４-3，２４４-4，２５４-4が接続されている。また、この入出力Ｉ／Ｆ２６７には、コマンド信号線２６８が接続されている。このコマンド信号線２６８は、ハブ２６０とシリアルハブ１８２との間に設けられており、シリアルハブ１８２からハブ２６０に共通コマンドＣＣＭＤを送信するための信号線である。
【０２１２】
図２６に示す画像信号処理装置２１０の動作を説明する。
コントローラ１７０からは、ユーザのボタンの押圧操作に対応して、押されたボタンに対応した共通コマンドＣＣＭＤが、リモコン信号として送信される。このようにリモコン信号として送信されてくる共通コマンドＣＣＭＤは、分配器１８０の受信部１８１で受信される。そして、受信された共通コマンドＣＣＭＤは、シリアルハブ１８２により、コマンド信号線２２４-1，２３４-1，２４４-1，２５４-1，２６８を通じて、基板２２０〜２５０およびハブ２６０に送信される。
【０２１３】
ハブ２６０では、コマンド信号線２６８を通じて所定の共通コマンドＣＣＭＤが受信されると、カウンタ２６２のカウントが開始され、その後カウント値ＣＮＴは一定時間毎にインクリメントされていく。このカウンタ２６２のカウント値ＣＮＴは、インクリメントされる毎に、ハブ２６０から、制御信号線２２４-3，２３４-3，２４４-4，２５４-4を通じて、基板２２０〜２５０に送信される。
【０２１４】
基板２２０〜２５０のそれぞれでは、コマンド信号線２２４-1，２３４-1，２４４-1，２５４-1を通じて所定の共通コマンドＣＣＭＤが受信されると、ＲＯＭ１２２，１３２，１４２，１５２から当該所定の共通コマンドＣＣＭＤに対応した優先度番号が取得される。そして、基板２２０〜２５０のスイッチャ２２１〜２５１では、以下のような、信号線の接続動作が行われる。
【０２１５】
すなわち、ハブ２６０から送られてくるカウント値ＣＮＴが優先度番号と一致するとき、入力基板１２０にあっては、１番目の信号線Ｓ1に出力信号線２２４-2が接続され、２番目の信号線Ｓ2に接続要求が発行される。また出力基板１３０にあっては、ハブ２６０から送られてくるカウント値ＣＮＴが優先度番号と一致するとき、信号線Ｓ1〜ＳMのうち接続要求が発行されている信号線が検出され、その信号線に入力信号線２３４-2が接続される。
【０２１６】
また、ノイズ除去処理基板１４０および高画質化処理基板１５０にあっては、ハブ２６０から送られてくるカウント値ＣＮＴが優先度番号と一致するとき、信号線Ｓ1〜ＳMのうち接続要求が発行されている信号線が検出され、その信号線に入力信号線２４４-2，２５４-2が接続されると共に、その次の信号線に出力信号線２４４-3，２５４-3が接続されると共に、当該次の信号線に接続要求が発行される。
【０２１７】
なお、入力信号線の接続が行われた基板では、当該入力信号線が接続された信号線にアクナレッジ（接続完了を示す信号）が発行される。この場合、このアクナレッジが発行された信号線に出力信号線が接続されている前段の基板では、当該信号線からアクナレッジが検出されることで、当該信号線への接続要求の発行が停止される。
【０２１８】
これにより、基板２２０〜２５０が、カウント値ＣＮＴが優先度番号と一致した順に、スイッチャ２２１〜２５１により接続されていき、最終的に、所定の共通コマンドＣＣＭＤに対応した処理系が構成される。
【０２１９】
また、基板２２０〜２５０のそれぞれでは、ＲＯＭ１２２，１３２，１４２，１５２から、受信された所定の共通コマンドＣＣＭＤに対応した処理内容が取得される。そして、基板２２０〜２５０のそれぞれでは、取得された処理内容に基づいて処理部の動作が制御され、処理が開始される。これにより、上述したように構成された処理系により、当該所定の共通コマンドＣＣＭＤに対応した処理が良好に行われる。
【０２２０】
図３２のフローチャートは、各基板の動作を示している。まず、ステップＳＴ１１１で、処理を開始し、ステップＳＴ１１２で、共通コマンドＣＣＭＤを受信したか否かを判定する。共通コマンドＣＣＭＤを受信したときは、ステップＳＴ１１３で、ＲＯＭから共通コマンドＣＣＭＤに対応した優先度番号を取得する。
【０２２１】
そして、ステップＳＴ１１４で、ハブ２６０からカウント値ＣＮＴを受信したか否かを判定する。受信したときは、ステップＳＴ１１５で、ステップＳＴ１１３で取得した優先度番号とカウント値ＣＮＴとが一致するか否かを判定する。上述したようにカウント値ＣＮＴは順次インクリメントされていく。優先度番号とカウント値ＣＮＴとの一致判定は、変化するカウント値ＣＮＴを受信する毎に行われる。
【０２２２】
優先度番号とカウント値ＣＮＴが一致するときは、ステップＳＴ１１６で、自らが入力基板か否かを判定する。入力基板であるときは、ステップＳＴ１１７で、スイッチャにより、１番目の信号線Ｓ1に出力信号線を接続し、またこの１番目の信号線Ｓ1に対して後段への接続要求の発行を開始する。そして、ステップＳＴ１１８で、当該１番目の信号線より後段からのアクナレッジ（接続完了を示す信号）を検出したか否かを判定する。後段からのアクナレッジを検出するまで、接続要求の発行を継続する。
【０２２３】
ステップＳＴ１１８で、後段からのアクナレッジを検出したときは、ステップＳＴ１１９に進む。このステップＳＴ１１９では、接続要求の発行を停止する。そして、ステップＳＴ１２０で、ＲＯＭから、受信した共通コマンドＣＣＭＤに対応した処理内容を取得し、ステップＳＴ１２１で、ステップＳＴ１２０で取得した処理内容に基づいて処理部の動作を制御し、処理を開始する。
【０２２４】
このステップＳＴ１２１の後に、ステップＳＴ１１２に戻る。このステップＳＴ１１２で、共通コマンドＣＣＭＤを受信していないときは、ステップＳＴ１２２で、処理を継続し、ステップＳＴ１１２に戻る。つまり、新たな共通コマンドＣＣＭＤを受信するまでは、ステップＳＴ１２１で開始された処理を、続ける。
【０２２５】
また、ステップＳＴ１１６で、入力基板でないときは、ステップＳＴ１２３に進む。このステップＳＴ１２３では、接続要求が発行されている信号線を検出する。そして、ステップＳＴ１２４で、スイッチャにより、接続要求が発行されている信号線に入力信号線を接続し、ステップＳＴ１２５で、当該入力信号線が接続された信号線にアクナレッジを発行する。
【０２２６】
次に、ステップＳＴ１２６で、自らが出力基板であるか否かを判定する。出力基板でないときは、ステップＳＴ１２７で、スイッチャにより、入力信号線が接続された信号線の次の信号線に出力信号線を接続し、また当該次の信号線に対して後段への接続要求の発行を開始する。そして、ステップＳＴ１２８で、当該次の信号線より後段からのアクナレッジを検出したか否かを判定する。後段からのアクナレッジを検出するまで、接続要求の発行を継続する。
【０２２７】
ステップＳＴ１２８で、後段からのアクナレッジを検出したときは、ステップＳＴ１１９に進んで、接続要求の発行を停止する。そして、ステップＳＴ１２０で、ＲＯＭから、受信した共通コマンドＣＣＭＤに対応した処理内容を取得し、ステップＳＴ１２１で、ステップＳＴ１２０で取得した処理内容に基づいて処理部の動作を制御し、処理を開始し、その後にステップＳＴ１１２に戻る。
【０２２８】
また、ステップＳＴ１２６で出力基板であるときは、直ちにステップＳＴ１２０に進み、ＲＯＭから、受信した共通コマンドＣＣＭＤに対応した処理内容を取得し、ステップＳＴ１２１で、ステップＳＴ１２０で取得した処理内容に基づいて処理部の動作を制御し、処理を開始し、その後にステップＳＴ１１２に戻る。
【０２２９】
図３３のフローチャートは、ハブ２６０の動作を示している。まず、ステップＳＴ１３１で、処理を開始し、ステップＳＴ１３２で、カウンタ２６２のカウント値ＣＮＴを０にセットする。そして、ステップＳＴ１３３で、共通コマンドＣＣＭＤを受信したか否かを判定する。共通コマンドＣＣＭＤを受信したときは、ステップＳＴ１３４で、カウント値ＣＮＴを１だけ増加、つまりインクリメントし、さらにステップＳＴ1３５で、ｔ＝０にセットする。
【０２３０】
次に、ステップＳＴ1３６で、カウント値ＣＮＴを、基板２２０〜２５０に送信する。そして、ステップＳＴ１３７で、一定時間ｔcが経過したか否かを判定する。一定時間ｔcが経過したときは、ステップＳＴ１３８に進む。このステップＳＴ１３８では、カウント値ＣＮＴが最後の値か否かを判定する。カウント値ＣＮＴが最後の値でないときは、ステップＳＴ１３４に戻り、カウント値ＣＮＴがインクリメントされ、以下上述したと同様に動作する。一方、カウント値ＣＮＴが最後の値であるときは、ステップＳＴ１３２に戻ってカウント値ＣＮＴを０にセットし、次の共通コマンドＣＣＭＤの受信を待つ状態となる。
【０２３１】
ここで、例えば、コントローラ１７０から「ＤＶＤ再生」の共通コマンドＣＣＭＤが発生された場合について説明する。
【０２３２】
入力基板２２０のＲＯＭ１２２には、「ＤＶＤ再生」の共通コマンドに対応して、処理内容として「ＤＶＤ再生」が、優先度番号として「１」が、記憶されている（図５参照）。また、出力基板２３０のＲＯＭ１３２には、「ＤＶＤ再生」の共通コマンドに対応して、処理内容として「モニタへ出力」が、優先度番号として「１０」が、記憶されている（図８参照）。また、ノイズ除去処理基板２４０のＲＯＭ１４２には、「ＤＶＤ再生」の共通コマンドに対応して、処理内容として「MpegDNR処理」が、優先度番号として「３」が、記憶されている（図１１参照）。また、高画質化処理基板２５０のＲＯＭ２５２には、「ＤＶＤ再生」の共通コマンドに対応して、処理内容として「高画質化処理」が、優先度番号として「８」が、記憶されている（図１４参照）。
【０２３３】
そのため、まず入力基板２２０で優先度番号「１」とカウント値ＣＮＴとが一致した状態となり、この入力基板２２０の出力信号線２２４-2がスイッチャ２２１により１番目の信号線Ｓ1に接続される。また、この入力基板２２０からこの信号線Ｓ1に接続要求が発行される。
【０２３４】
次に、ノイズ除去処理基板２４０で、優先度番号「３」とカウント値ＣＮＴとが一致した状態となり、この処理基板２４０の入力信号線２４４-2がスイッチャ２４１により接続要求が発行されている信号線Ｓ1に接続される。また、この処理基板２４０からこの信号線Ｓ1にアクナレッジが発行される。これにより、入力基板２２０から信号線Ｓ1への接続要求の発行が停止される。また、この処理基板２４０の出力信号線２４４-3がスイッチャ２４１により２番目の信号線Ｓ2に接続される。また、この処理基板２４０からこの信号線Ｓ2に接続要求が発行される。
【０２３５】
次に、高画質化処理基板２５０で、優先度番号「８」とカウント値ＣＮＴとが一致した状態となり、この処理基板２５０の入力信号線１５４-2がスイッチャ２５１により接続要求が発行されている信号線Ｓ2に接続される。また、この処理基板２５０からこの信号線Ｓ2にアクナレッジが発行される。これにより、処理基板２４０から信号線Ｓ2への接続要求の発行が停止される。また、この処理基板２５０の出力信号線２５４-3がスイッチャ２５１により３番目の信号線Ｓ3に接続される。また、この処理基板２５０からこの信号線Ｓ3に接続要求が発行される。
【０２３６】
次に、出力基板２３０で、優先度番号「１０」とカウント値ＣＮＴとが一致した状態となり、この出力基板２３０の入力信号線２３４-2がスイッチャ２３１により接続要求が発行されている信号線Ｓ3に接続される。また、この処理基板２３０からこの信号線Ｓ3にアクナレッジが発行される。これにより、処理基板２５０から信号線Ｓ3への接続要求の発行が停止される。
【０２３７】
このように、「ＤＶＤ再生」の共通コマンドＣＣＭＤの発生に対応して、入力基板２２０、ノイズ除去処理基板２４０、高画質化処理基板２５０および出力基板２３０の順に接続され、「ＤＶＤ再生」の共通コマンドＣＣＭＤに対応した処理を行う処理系が構成される。
【０２３８】
そしてこの場合、入力基板２２０では、ＤＶＤ再生部１２５-1でＤＶＤを再生して画像信号を取得し、この画像信号を出力信号線２２４-2に出力する処理が行われる。また、ノイズ除去処理基板１４０では、入力信号線２４４-2で入力された画像信号に対してノイズ除去処理部１４５でＭＰＥＧ歪みを除去する処理を行い、処理後の画像信号を出力信号線２４４-3に出力する処理が行われる。
【０２３９】
また、高画質化処理基板１５０では、入力信号線２５４-2で入力された画像信号に対して高画質化処理部１５５で高画質化処理を行い、処理後の画像信号を出力信号線２５４-3に出力する処理が行われる。さらに、出力基板１３０では、入力信号線１３４-2で入力された画像信号に対して出力信号線１３８に出力する処理が行われる。
【０２４０】
また例えば、コントローラ１７０から「地上波をＤＶＤ録画」の共通コマンドＣＣＭＤが発生された場合について説明する。
【０２４１】
入力基板２２０のＲＯＭ１２２には、「地上波をＤＶＤ録画」の共通コマンドに対応して、処理内容として「地上波チューナ駆動」が、優先度番号として「１」が、記憶されている（図５参照）。また、出力基板２３０のＲＯＭ１３２には、「地上波をＤＶＤ録画」の共通コマンドに対応して、処理内容として「ＤＶＤへ記録」が、優先度番号として「１０」が、記憶されている（図８参照）。また、ノイズ除去処理基板２４０のＲＯＭ１４２には、「地上波をＤＶＤ録画」の共通コマンドに対応して、処理内容および優先度番号は規定されていない（図１１参照）。また、高画質化処理基板２５０のＲＯＭ２５２には、「地上波をＤＶＤ録画」の共通コマンドに対応して、処理内容として「高画質化処理」が、優先度番号として「８」が、記憶されている（図１４参照）。
【０２４２】
そのため、まず入力基板２２０で優先度番号「１」とカウント値ＣＮＴとが一致した状態となり、この入力基板２２０の出力信号線２２４-2がスイッチャ２２１により１番目の信号線Ｓ1に接続される。また、この入力基板２２０からこの信号線Ｓ1に接続要求が発行される。
【０２４３】
次に、高画質化処理基板２５０で、優先度番号「８」とカウント値ＣＮＴとが一致した状態となり、この処理基板２５０の入力信号線１５４-2がスイッチャ２５１により接続要求が発行されている信号線Ｓ1に接続される。また、この処理基板２５０からこの信号線Ｓ1にアクナレッジが発行される。これにより、入力基板２２０から信号線Ｓ1への接続要求の発行が停止される。また、この処理基板２５０の出力信号線２５４-3がスイッチャ２５１により２番目の信号線Ｓ2に接続される。また、この処理基板２５０からこの信号線Ｓ2に接続要求が発行される。
【０２４４】
次に、出力基板２３０で、優先度番号「１０」とカウント値ＣＮＴとが一致した状態となり、この出力基板２３０の入力信号線２３４-2がスイッチャ２３１により接続要求が発行されている信号線Ｓ2に接続される。また、この処理基板２３０からこの信号線Ｓ2にアクナレッジが発行される。これにより、処理基板２５０から信号線Ｓ2への接続要求の発行が停止される。
【０２４５】
このように、「地上波をＤＶＤ録画」の共通コマンドＣＣＭＤの発生に対応して、入力基板２２０、高画質化処理基板２５０および出力基板２３０の順に接続され、「地上波をＤＶＤ録画」の共通コマンドＣＣＭＤに対応した処理を行う処理系が構成される。この場合、ノイズ除去処理基板２４０は、「地上波をＤＶＤ録画」の共通コマンドＣＣＭＤに対応する処理を実行する際には、処理系に挿入されない。
【０２４６】
そしてこの場合、入力基板２２０では、地上波チューナ１２６-1から画像信号を取得し、この画像信号を出力信号線２２４-2に出力する処理が行われる。また、高画質化処理基板１５０では、入力信号線２５４-2で入力された画像信号に対して高画質化処理部１５５で高画質化処理を行い、処理後の画像信号を出力信号線２５４-3に出力する処理が行われる。さらに、出力基板２３０では、入力信号線２３４-2で入力された画像信号を、ＤＶＤ記録部１３５-1でＤＶＤに記録する処理が行われる。
【０２４７】
上述したように、基板２２０〜２５０が所定の共通コマンドＣＣＭＤに対応した順に接続され、当該所定の共通コマンドＣＣＭＤに対応した処理を行う処理系が構成され、当該処理系で所定のコマンドＣＣＭＤに対応した処理が行われる。この場合、各基板の入力フォーマットおよび出力フォーマットは、図２の画像信号処理装置１１０と同様に、決定される（図２１〜図２４参照）。
【０２４８】
以上説明したように、図２６に示す画像信号処理装置２１０によれば、基板２２０〜２５０のそれぞれにコントローラ１７０が発生する共通コマンドのそれぞれに対応した優先度番号を持たせ、コントローラ１７０からの所定の共通コマンドＣＣＭＤの発生に伴って、基板２２０〜２５０を、当該所定の共通コマンドＣＣＭＤに対応した優先度番号に基づいて、スイッチャ２２１〜２５１で順に接続するものであり、所定の共通コマンドＣＣＭＤに対応した処理系を容易に構成でき、ユーザに基板間の配線変更などの煩わしさを与えることなく、当該所定の共通コマンドＣＣＭＤに対応した画像信号処理を良好に行わせることができる。
【０２４９】
上述の図２６に示す画像信号処理装置２１０では基板２２０〜２５０がハブ２６０を用いて有線で接続される構成となっているが、図３４に示すように、これらの基板２２０〜２５０を無線で接続した画像信号処理装置２１０Ａも同様に構成できる。この場合、例えばコントローラ１７０がカウンタ１６２を備え、このコントローラ１７０から、共通コマンドＣＣＭＤが各基板に無線送信されると共に、カウント値ＣＮＴも各基板に無線送信される。
【０２５０】
この画像信号処理装置２１０Ａの動作を、例えばコントローラ１７０から「ＤＶＤ再生」の共通コマンドＣＣＭＤが発生された場合を例にとって説明する。
【０２５１】
まず、入力基板２２０で優先度番号「１」とカウント値ＣＮＴとが一致した状態となり、この入力基板２２０からブロードキャスト的に接続要求が無線送信される。
【０２５２】
次に、ノイズ除去処理基板２４０で優先度番号「３」とカウント値ＣＮＴとが一致した状態となる。そのため、この処理基板２４０と、接続要求を送信している入力基板２１０との間で通信が行われ、入力基板２１０から送信される画像信号が処理基板２４０で受信される状態となる。つまり、入力基板２１０の出力信号線と処理基板２４０の入力信号線が接続された状態となる。この場合、入力基板２１０および処理基板２４０は、図２６に示す画像信号処理装置２１０の入力基板２２０および処理基板２４０と同様に、スイッチャを備えているものと考えることができる。これは、以下のその他の基板間の無線接続においても同様である。
【０２５３】
また、このように入力基板２１０から送信される画像信号が処理基板２４０で受信される状態となるとき、入力基板２１０からの接続要求の送信は停止され、今度は処理基板２４０からブロードキャスト的に接続要求が無線送信される。
【０２５４】
次に、高画質化処理基板２５０で優先度番号「８」とカウント値ＣＮＴとが一致した状態となる。そのため、この処理基板２５０と、接続要求を送信している処理基板２４０との間で通信が行われ、処理基板２４０から送信される画像信号が処理基板２５０で受信される状態となる。つまり、処理基板２４０の出力信号線と処理基板２５０の入力信号線が接続された状態となる。このとき、処理基板２４０からの接続要求の送信は停止され、今度は処理基板２５０からブロードキャスト的に接続要求が無線送信される。
【０２５５】
次に、出力基板２３０で優先度番号「１０」とカウント値ＣＮＴとが一致した状態となる。そのため、この出力基板２３０と、接続要求を送信している処理基板２５０との間で通信が行われ、処理基板２５０から送信される画像信号が出力基板２３０で受信される状態となる。つまり、処理基板２５０の出力信号線と出力基板２３０の入力信号線が接続された状態となる。このとき、処理基板２５０からの接続要求の送信は停止される。
【０２５６】
このように、「ＤＶＤ再生」の共通コマンドＣＣＭＤの発生に対応して、図３４に丸数字で示すように、入力基板２２０、ノイズ除去処理基板２４０、高画質化処理基板２５０および出力基板２３０の順に無線接続され、図２６に示す画像信号処理装置２１０と同様に、「ＤＶＤ再生」の共通コマンドＣＣＭＤに対応した処理を行う処理系が構成される。
【０２５７】
また、上述実施の形態においては、各基板はカウント値ＣＮＴが優先度番号と一致した順に接続されていくものを示した。しかし、優先度情報としては優先度番号に限定されない。その場合であっても、各基板は優先度情報に基づいて、優先度順に接続されていく構成とすればよい。
【０２５８】
また、上述実施の形態においては、スイッチャ１６０またはハブ２６０がカウンタを備えるものを示したが、カウンタは他の部分に配設されていてもよい。例えば、分配器１０５がカウンタを備え、カウント値ＣＮＴを各基板に送信するようにしてもよい。
【０２５９】
また、上述実施の形態における画像信号処理装置１１０、２１０は、入力基板、出力基板、ノイズ除去処理基板、高画質化処理基板を備えるものであるが、基板の個数、種類はこれに限定されるものではない。スイッチャ１６０のスイッチャ本体１６１、またはハブ２６０のハブ本体２６１を、さらに多くの基板が接続可能なように構成しておくことで、基板の追加が可能となる。
【０２６０】
この場合、上述したように、入力基板の優先度番号が「１」、ノイズ除去処理基板の優先度番号が「３」、高画質化処理基板の優先度番号が「８」、出力基板の優先度番号が「１０」というように、各基板の優先度番号の間隔を空けているので、任意の２つの基板間に所定の基板を挿入する場合には、その所定の基板の優先度番号として２つの基板の優先度番号の間の番号を用いることで、容易に実現できる。例えば、入力基板とノイズ除去処理基板との間に挿入すべき基板には、優先度番号として「２」を割り振ればよい。
【０２６１】
また、上述実施の形態においては、処理ブロックが基板であるものを示したが、処理ブロックとしては、基板の他に、チップ、あるいは複数の基板やチップで構成される装置等も考えられる。
【０２６２】
また、上記実施の形態においては、入力基板、ノイズ除去処理基板、高画質化処理基板は、フォーマット変換部１２７，１４６，１５６を備えており、適宜、出力する画像信号のフォーマットを変換するようになっている。しかし、フォーマット変換部を、画像信号が供給される基板側に設けておき、その入力側で、適宜、フォーマット変換を行うようにしてもよい。
【０２６３】
また、上述実施の形態においては、情報信号処理装置の具体例として画像信号を処理する画像信号処理装置を示したが、その他の情報信号を処理する装置、例えば音声信号処理装置も同様に構成できることは勿論である。
【産業上の利用可能性】
【０２６４】
この発明は、複数の処理ブロックからなる所定の共通コマンドに対応した処理系を容易に構成でき、当該所定の共通コマンドに対応した処理をユーザを煩わせることなく良好に行い得るものであり、画像信号にノイズ除去、高画質化等の一連の処理を行って出力する画像信号処理装置等に適用できる。
【図面の簡単な説明】
【０２６５】
【図１】第１の実施の形態としての情報信号処理装置（スイッチャ集中型）の構成を示すブロック図である。
【図２】情報信号処理装置の具体例としての画像信号処理装置の構成を示すブロック図である。
【図３】コントローラの外観を示す図である。
【図４】入力基板の回路構成を示すブロック図である。
【図５】入力基板における各共通コマンドと処理内容、優先度番号との対応関係を示す図である。
【図６】入力基板の出力フォーマットリストを示す図である。
【図７】出力基板の回路構成を示すブロック図である。
【図８】出力基板における各共通コマンドと処理内容、優先度番号との対応関係を示す図である。
【図９】出力基板の入力フォーマットリストを示す図である。
【図１０】ノイズ除去処理基板の回路構成を示すブロック図である。
【図１１】ノイズ除去処理基板における各共通コマンドと処理内容、優先度番号との対応関係を示す図である。
【図１２】ノイズ除去処理基板の入出力フォーマットリストを示す図である。
【図１３】高画質化処理基板の回路構成を示すブロック図である。
【図１４】高画質化処理基板における各共通コマンドと処理内容、優先度番号との対応関係を示す図である。
【図１５】高画質化処理基板の入出力フォーマットリストを示す図である。
【図１６】スイッチャの回路構成を示すブロック図である。
【図１７】コントローラの動作を示すフローチャートである。
【図１８】分配器の動作を示すフローチャートである。
【図１９】各基板の動作を示すフローチャートである。
【図２０】スイッチャの動作を示すフローチャートである。
【図２１】入力フォーマットの決定処理を示すフローチャートである。
【図２２】出力フォーマットの決定処理を示すフローチャートである。
【図２３】入力フォーマットの決定処理（信号処理スルー型）を示すフローチャートである。
【図２４】出力フォーマットの決定処理（信号処理スルー型）を示すフローチャートである。
【図２５】第２の実施の形態としての情報信号処理装置（スイッチャ分散型）の構成を示すブロック図である。
【図２６】情報信号処理装置の具体例としての画像信号処理装置の構成を示すブロック図である。
【図２７】入力基板の回路構成を示すブロック図である。
【図２８】出力基板の回路構成を示すブロック図である。
【図２９】ノイズ除去処理基板の回路構成を示すブロック図である。
【図３０】高画質化処理基板の回路構成を示すブロック図である。
【図３１】ハブの回路構成を示すブロック図である。
【図３２】各基板の動作を示すフローチャートである。
【図３３】ハブの動作を示すフローチャートである。
【図３４】基板間を無線で接続する画像信号処理装置（スイッチャ分散型）の構成を示すブロック図である。
【符号の説明】
【０２６６】
１００・・・情報信号処理装置、１０１-1〜１０１-N・・・基板、１０２-1〜１０２-N・・・記憶媒体、１０３・・・スイッチャ、１０３ａ・・・スイッチャ本体、１０３ｂ・・・カウンタ、１０４・・・コントローラ、１０５・・・分配器、１１０・・・画像信号処理装置、１２０・・・入力基板、１２２・・・ＲＯＭ、１３０・・・出力基板、１３２・・・ＲＯＭ、１４０・・・ノイズ除去処理基板、１４２・・・ＲＯＭ、１５０・・・高画質化処理基板、１５２・・・ＲＯＭ、１６０・・・スイッチャ、１６１・・・スイッチャ本体、１６２・・・カウンタ、１７０・・・コントローラ、１８０・・・分配器、１８１・・・受信部、１８２・・・シリアルハブ、２００・・・情報信号処理装置、２０１-1〜２０１-N・・・基板、２０２-1〜２０２-N・・・記憶媒体、２０３-1〜２０３-N・・・スイッチャ、２０４・・・ハブ、２０４ａ・・・ハブ本体、２０４ｂ・・・カウンタ、２０５・・・コントローラ、２０６・・・分配器、２１０，２１０Ａ・・・画像信号処理装置、２２０・・・入力基板、２２１・・・スイッチャ、２３０・・・出力基板、２３１・・・スイッチャ、２４０・・・ノイズ除去処理基板、２４１・・・スイッチャ、２５０・・・高画質化処理基板、２５１・・・スイッチャ、２６０・・・ハブ、２６１・・・ハブ本体、２６２・・・カウンタ
【図１】
2006019965.tif 000003
【図２】
2006019965.tif 000004
【図３】
2006019965.tif 000005
【図４】
2006019965.tif 000006
【図５】
2006019965.tif 000007
【図６】
2006019965.tif 000008
【図７】
2006019965.tif 000009
【図８】
2006019965.tif 000010
【図９】
2006019965.tif 000011
【図１０】
2006019965.tif 000012
【図１１】
2006019965.tif 000013
【図１２】
2006019965.tif 000014
【図１３】
2006019965.tif 000015
【図１４】
2006019965.tif 000016
【図１５】
2006019965.tif 000017
【図１６】
2006019965.tif 000018
【図１７】
2006019965.tif 000019
【図１８】
2006019965.tif 000020
【図１９】
2006019965.tif 000021
【図２０】
2006019965.tif 000022
【図２１】
2006019965.tif 000023
【図２２】
2006019965.tif 000024
【図２３】
2006019965.tif 000025
【図２４】
2006019965.tif 000026
【図２５】
2006019965.tif 000027
【図２６】
2006019965.tif 000028
【図２７】
2006019965.tif 000029
【図２８】
2006019965.tif 000030
【図２９】
2006019965.tif 000031
【図３０】
2006019965.tif 000032
【図３１】
2006019965.tif 000033
【図３２】
2006019965.tif 000034
【図３３】
2006019965.tif 000035
【図３４】
2006019965.tif 000036